(57)【特許請求の範囲】
【請求項１】
ａ）モノマーＡとしての、３０〜５０重量％のｔｅｒｔ−ブチルアクリレート；
ｂ）モノマーＢとしての、３〜２０重量％の、ＣＯＯ-Ｃ1〜Ｃ14直鎖アルキルであるエステル部分を有する直鎖アクリル酸エステル；
ｃ）モノマーＣとしての、１５〜３５重量％のＮ−ビニルピロリドン；
ｄ）モノマーＤである、１５〜３０重量％のＮ−［３−（ジメチルアミノ）プロピル］メタクリルアミド；
ｅ）モノマーＥとしての、０．１〜１０重量％のメタクリル酸
を含んでなるレオロジー改質組成物または化粧品組成物のためのコポリマーであって、ホモ重合状態のモノマーＢは２４℃以下のガラス転移温度を有し、モノマーＡの重量の最大３分の１に達し、
総コポリマー重量はモノマーＡ〜Ｅの重量の和であり、１００重量％に相当することを条件に、
モノマーＢおよびモノマーＥの和は総コポリマー重量の２０重量％を超えず、
モノマーＣおよびモノマーＤの和は総コポリマー重量の４５重量％〜６５重量％の範囲であり、
モノマーＤはモノマーＥに対して過剰の重量で用い、この過剰の重量はモノマーＥの重量の少なくとも３．５倍である、
コポリマー。
【請求項２】
・水および／または
・ＶＯＣ（揮発性有機化合物）
・および請求項１に記載のコポリマー
を少なくとも含んでなる組成物であって、使用されるコポリマーの量は、組成物の総重量に対して０．００１〜５０重量％の範囲であり、総重量は１００％に相当する、組成物。
【請求項３】
・ヘアスタイリングおよび／またはヘアコンディショニングに有効である、
・ボディケア製品に有効である、あるいは、
・構造物材料における、または農業用組成物もしくは植物保護組成物におけるレオロジー改質剤として有効である、
請求項２に記載の組成物。
【請求項４】
モノマーＢのエステル部分がＣＯＯ-Ｃ2〜Ｃ12直鎖アルキルである、請求項１に記載のコポリマー。
【請求項５】
エステルモノマーＢが、ｎ−ブチルアクリレート、ｎ−ラウリルアクリレートおよびエチルアクリレートからなる群から選択される、請求項１に記載のコポリマー。
【発明の詳細な説明】
【技術分野】
【０００１】
本発明は、レオロジーまたは化粧品組成物のためのコポリマー、コポリマーの製造方法、コポリマーの組成物、および組成物の製造方法に関する。本発明の範囲では、本発明のコポリマーまたは組成物の選択された使用方法に相当する、コポリマーまたはその組成物の使用も選択される。
【背景技術】
【０００２】
近年のレオロジー改質剤または化粧品用ポリマーの複数の要求を満たすコポリマーおよび化粧品組成物を提供する技術は、既にかなり進歩している。
【０００３】
ＷＯ  ０１／６２８０９  Ａ１には、
ａ）５〜５０重量％の式（Ｉ）：
【化１】
0006395719.tif 000002
［式中、Ｒ１は水素またはＣ１〜Ｃ８アルキルであり、Ｘ１はＯまたはＮＲ２であり、Ｒ２は水素、Ｃ１〜Ｃ８アルキルまたはＣ５〜Ｃ８シクロアルキルである］
で示される少なくとも１つのα，β−エチレン性不飽和モノマー、
ｂ）２５〜９０重量％の少なくとも１つのＮ−ビニルアミドおよび／またはＮ−ビニルラクタム、
ｃ）０．５〜３０重量％の、ラジカル重合性α，β−エチレン性不飽和二重結合および一分子あたり少なくとも１つのカチオノゲン性および／またはカチオン性基を有する少なくとも１つの化合物、
ｄ）０〜３０重量％の式（ＩＩ）：
【化２】
0006395719.tif 000003
［式中、Ｒ３は水素またはＣ１〜Ｃ８アルキルであり、Ｘ２はＯまたはＮＲ５であり、Ｒ５は水素、Ｃ１〜Ｃ８アルキルまたはＣ５〜Ｃ８シクロアルキルであり、Ｒ４は水素または直鎖Ｃ１〜Ｃ２２アルキル基である］
で示される少なくとも１つのα，β−エチレン性不飽和モノマー
を組み込まれた状態で含む少なくとも１つの水溶性または水分散性ポリマーまたはその塩を含んでなる化粧品用手段が記載されている。
【０００４】
同文献の１つのポリマーは、３０重量％のｔｅｒｔ−ブチルアクリレート、１９重量％のｎ−ブチルアクリレート、２７重量％のＮ−ビニルピロリドン、１７重量％の約９０％プロトン化状態のＮ−（３−（ジメチルアミノ）プロピル）アクリルアミド、５重量％のメタクリル酸、および２重量％のエトキシル化ポリシロキサン（Belsil（登録商標）DMC 6031、Wacker）を含んでなる。
【０００５】
しかしながら、前記ポリマーはその性能および価格特性に関してなお最適化されるべきである。第一に、追加のエトキシル化ポリシロキサンを使用することは製造コストを上昇させる。更に、前記モノマーはポリマーに柔軟性を付与し、これは、より軟質であるが故に幾分安定性が低いポリマーフィルムをもたらす。ｎ−ブチルアクリレートのようなアクリル酸エステルは軟質特性を有するので、これと同様の影響がこの化合物によってもたらされることが知られている。しかしながら、ケラチン表面または皮膚上の軟弱かつ高度に軟質なポリマーフィルムは、特に風雨時、時間がたつとより不安定なヘアスタイルまたはクリーム層をもたらし、最悪の場合、整えられたヘアスタイルまたは塗布されたクリーム層は完全にくずれる。この影響は、各化粧品用手段により多量のポリマーを適用することによって、またはそれを繰り返し塗布することによって、ある程度は小さくなるが、１回の塗布あたりまたは所望される１回の効果あたりのコストは高くなる。
【０００６】
ＷＯ  ０１／６２８０９  Ａ１の態様に記載されているような、上記したａ）、ｂ）、ｃ）およびｄ）の組み合わせを含んでなる化粧品用手段の水溶性または水分散性ポリマーからｎ−ブチルアクリレートまたはｎ−ブチルアクリレートとエトキシル化ポリシロキサンとの両方を完全に除外すると、毛髪または皮膚上に硬質ポリマーフィルムが形成されるので、いずれの状況も改善されない。ヘアスタイルが機械的に影響を受けないままであるか、またはほぼ影響を受けないままであるならば、この硬質フィルムはヘアスタイルの形状を相応に保持することができる。しかしながら、繰り返し毛髪を櫛でとかしたり、ブラッシングしたり、手櫛で整えたりすると、或いは風が強いと、幾分硬質のポリマーフィルムは曲げられて、部分的に壊される。その結果、コンディショニングおよびスタイリング性能は低下し、ポリマーフレークがヘアスタイル或いは他のケラチン表面または皮膚から少しずつ生じ、これは、特に黒髪のヒトにとって不快な困った状況をまねく。透明であればポリマー由来フレークの認知が低減されるが、そのようなポリマーは溶液中で自体既に濁って透明ではないので、上記の結果は残念ながら無視することはできない。低減されてもポリマーフレーク化には、十分かつ長期のコンディショニング、スタイリングまたは硬化効果を得るために、１回の適用あたりのより多いポリマー量または単位時間あたりのより多い適用回数が必然的に必要とされるという別の欠点が存在する。これによりやはり、化粧品用手段はより高価になる。
【０００７】
これらは、先行技術の克服すべき欠点の一部にすぎない。
【先行技術文献】
【特許文献】
【０００８】
【特許文献１】ＷＯ  ０１／６２８０９  Ａ１
【発明の概要】
【発明が解決しようとする課題】
【０００９】
本発明の目的は、良好な硬化特性とコンディショニング特性の両方を有し、噴射剤と高度に適合性であるコポリマーを提供することである。コポリマーは、溶媒に、または多量の水を含む溶媒にも易溶解性であると同時に、溶媒を除去するとケラチン表面または皮膚に均一に付着する。この付着は、少量の水、即ち雨粒によって変化せず、好ましくは洗浄剤含有製品、例えばボディウォッシュによってもっぱら壊される。本発明のコポリマーは更に、増粘剤とスタイリングポリマーとの調整物質として作用することが求められる。そうでなければ、増粘剤とスタイリングポリマーは均一に混合されない。本発明のコポリマーはコスト効果が高い。これは、コポリマー自体が安価に得られること、或いは処理されるケラチン表面または皮膚上でのスタイリングおよび／またはコンディショニング性能の低下を伴わずに先行技術のコポリマーと比べて少量で使用されることを意味する。しかしながら、本発明のコポリマーは、先行技術のコポリマーと比べて少量で使用された場合でも、滑らかで光沢があり、べたつかない感触、および塊状または不格好なコポリマー凝集体またはコポリマー由来フレークによって阻害されない良好な外観を、ケラチン表面に付与する。
【００１０】
また、化粧品に許容されているキャリヤーと本発明のコポリマーとを少なくとも含んでなる化粧品組成物は同時に、コンディショナーおよびスタイリングまたは硬化手段としても作用する。この組成物は、高い適合性が要求され、化粧品に許容されているキャリヤーとしての噴射剤が添加された場合でも曇らずほぼ透明な外観を有する。この組成物は、使用される溶媒と、または多量の水を含む溶媒とも均一な相を形成する。この組成物はまた、均一な噴霧パターン、即ち小さなサイズの滴しか見られないパターンを形成することも要求される。組成物は更に、かなりの量の水によってまたはより好ましくは洗浄剤含有水溶液によってしか除去されないように、例えば毛髪や爪のようなケラチン表面および皮膚に易適合性、即ちそれらに易付着性である。ケラチン表面上での組成物のフレーク化、またはべたつき感は回避される。本発明の更なる目的は、例えば組成物全体の性能、特に組成物中のコポリマーの性能の阻害を伴わずに追加コポリマー（例えばスタイリング、増粘および／またはコンディショニングコポリマー）の量を減らすことにより、コスト効果が高い化粧品組成物を提供することである。
【００１１】
本発明のコポリマーおよび本発明の化粧品組成物はいずれも、微分散スプレーに適用された場合でも無害であることも要求される。
【課題を解決するための手段】
【００１２】
「噴射剤と高度に適合性である」とは、噴射剤が添加された場合に本発明のコポリマーまたは組成物が充填された容器が、コポリマー−噴射剤混合物または組成物の濁った外観を示さないことを意味する。また、「高度に適合性である」とは、コポリマー−噴射剤混合物または組成物が例えばノズルのような噴霧手段（それにより、コポリマー−噴射剤混合物または組成物が例えばヘアスタイル、皮膚または爪表面のような表面の上に微分散される）を閉塞しないことも意味する。本出願において、毛髪および／または爪はケラチン表面を形成していると理解される。
【００１３】
多くの実験から、請求項１に記載のコポリマーまたはポリマー（本明細書では用語「ポリマー」と「コポリマー」とはほぼ同じ意味で使用される）が先に記載した要件を満たすことが分かった。
【００１４】
本明細書では、用語「コポリマー」または「本発明のコポリマー」並びに「ポリマー」および「本発明のポリマー」並びにそれらの複数形は、特に記載が無い限りほぼ同じ意味で使用される。
【００１５】
化合物のタイプが記載されるとき、メタクリレートまたはメタクリルアミドにおける用語「メタ」が（メタ）アクリレートまたは（メタ）アクリルアミドのように括弧内に記載されている場合は、アクリレートおよびメタクリレートの両方またはアクリルアミドおよびメタクリルアミドの両方を意味する。
【００１６】
本発明の組成物は化粧品組成物とも称され、本発明の化粧品組成物は水および／または有機溶媒および／またはＶＯＣ（ＶＯＣは揮発性有機化合物を意味する）および本発明のコポリマーを少なくとも含んでなる。同じことはレオロジー組成物または本発明のレオロジー組成物にも当てはまり、これらも本発明の組成物である。
【００１７】
本発明の主要な特徴は請求項１、１３、１４および１５に記載されており、本発明の更なる態様は、請求項２〜１２並びに後続の特許請求の範囲の詳細な説明から読み取ることができる。
【００１８】
本発明は、モノマーＡとしての、分岐アクリル酸エステルである第一アクリル酸エステル；モノマーＢとしての、直鎖アクリル酸エステルである少なくとも１つの更なるアクリル酸エステル；モノマーＣとしての環式Ｎ−ビニルアミド；モノマーＤであり、ラジカル重合性α，β−エチレン性不飽和二重結合および少なくとも１つのカチオン性および／またはカチオノゲン性基を有する少なくとも１つの化合物；およびモノマーＥとしての少なくとも１つのモノエチレン性不飽和カルボン酸を含んでなるレオロジーまたは化粧品組成物のためのコポリマーを記載する。本発明では、重合されたときに２４℃以下のガラス転移温度を示す化合物をもっぱらモノマーＢとして使用し、モノマーＡの重量の最大３分の１に達する量でモノマーＢを使用することが重要である。
【００１９】
２４℃より高いガラス転移温度を有するモノマーＢを選択すると、生成されるコポリマーはより脆くなり、その化粧品組成物から得られるフィルムは少なくとも部分的に壊れやすく、従ってフレークが発現し、レオロジーまたは化粧品の効果のために必要とされるコポリマーの量は増大する。しかしながら一方で、モノマーＢの重量がモノマーＡの重量の３分の１を超えると、コポリマーのモノマー側鎖の柔軟性は高まるので、その化粧品組成物はヘアスタイルまたはケラチン表面上でかなり軟質なコポリマーフィルムを形成する。従って、そのようなコポリマーのスタイリング性能は低下しやすい。また、これは化粧品組成物の粒度にも、従ってケラチン表面または皮膚に適用される組成物のコポリマーの必要とされる均一な分布にも悪影響を与える。
【発明の効果】
【００２０】
これらの欠点は全て、本発明のコポリマーによって克服される。本発明のコポリマーを用いると最良のスタイリング性能が得られるので、本発明の化粧品組成物において必要とされるコポリマー量は低減され、従って、本発明の化粧品組成物の製造コストおよび消費コストは低減する。更に、先に記載したような要件は、以下に更に詳述されるように本発明のコポリマーによって完全に満たされる。
【図面の簡単な説明】
【００２１】
【図１】図１は、噴射剤が添加されたポリマー溶液試料の外観を示す。
【図２ａ】図２ａは、白色人種の未処理の毛髪の顕微鏡観察による表面構造を示す。
【図２ｂ】図２ｂは、Amphomer（登録商標）で処理された毛髪の顕微鏡観察による表面構造を示す。
【図２ｃ】図２ｃは、比較例Ｖ３またはＶ４に記載されているコポリマーを含んでなる組成物で処理された毛髪の顕微鏡観察による表面構造を示す。
【図２ｄ】図２ｄは、本発明のコポリマーを含んでなる組成物で処理された毛髪の顕微鏡観察による表面構造を示す。
【図２ｅ】図２ｅは、図２ａ〜２ｄを集めたものである。
【発明を実施するための形態】
【００２２】
本発明のモノマーＡ、即ち分岐アクリル酸エステルは、第二級または第三級アルコールに、好ましくは第三級アルコールに由来するエステル部分を有する。この分岐アクリル酸エステルは好ましくは、イソプロピルアクリレート、２−エチルブチルアクリレート、２−エチルヘキシルアクリレート、ｓｅｃ−ブチルアクリレート、イソブチルアクリレート、ｔｅｒｔ−ブチルアクリレート、２−ペンチルアクリレート、２−メチルブチルアクリレート、３−メチルブチルアクリレート、３−ペンチルアクリレート、イソペンチルアクリレート、ネオペンチルアクリレート、２−メチルペンチルアクリレート、２−ヘプチルアクリレート、２−オクチルアクリレート、２−メチル−７−エチル−４−ウンデシルアクリレートおよびそれらの混合物からなる群から選択される。ｔｅｒｔ−ブチルアクリレート、またはｔｅｒｔ−ブチルアクリレートを含む混合物が特に好ましい。最も好ましい態様では、モノマーＡは、その嵩高いｔｅｒｔ−ブチル基がモノマーＢに最適に対応するので、ｔｅｒｔ−ブチルアクリレートである。
【００２３】
モノマーＢは、直鎖アクリル酸エステルからなる群から選択される少なくとも１つの更なるアクリル酸エステルである。本発明の範囲において「直鎖」とは、アクリル酸またはアクリル酸ハライドとｎ−アルキルアルコール（即ち、１つのヒドロキシル基とｎ−アルキル基とを有するアルコール）との反応により得られたモノマーＢが使用されることを意味する。各アルコールとアクリル酸またはアクリル酸ハライドとから生成される対応のアクリル酸エステルが２４℃以下のガラス転移温度を有するホモポリマーをもたらす限り、ｎ−アルキルは、構成要素であるメチル、エチル、ｎ−プロピル、ｎ−ブチル、ｎ−ペンチル、ｎ−ヘキシル、ｎ−ヘプチル、ｎ−オクチルまたはカプリル、ｎ−ノニル、ｎ−デシル、ｎ−ウンデシル、ｎ−ドデシルまたはラウリル、ｎ−トリデシル、ｎ−テトラデシルまたはミリスチル、ｎ−ペンタデシルおよびより高級のｎ−アルキル同族体を包含する。
【００２４】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは１０℃以下のガラス転移温度を有し、モノマーＡの重量の最大３分の１に達する。
【００２５】
本発明のより好ましい態様は、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなるレオロジーまたは化粧品組成物のためのコポリマーであって、重合状態のモノマーＢは０℃以下のガラス転移温度を有し、モノマーＡの重量の最大３分の１に達するコポリマーである。
【００２６】
非常に好ましい態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは−３℃以下のガラス転移温度を有し、モノマーＡの重量の最大３分の１に達する。
【００２７】
非常に好ましい態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは−１８℃以下のガラス転移温度を有し、モノマーＡの重量の最大３分の１に達する。
【００２８】
同様に好ましい態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは−５０℃以下のガラス転移温度を有し、モノマーＡの重量の最大３分の１に達する。
【００２９】
ここで留意すべきは、適当なモノマーＢの選択に十分な注意を払わなければならないことである。なぜなら、（重合状態の）各ホモポリマーのガラス転移温度は、モノマーＢの直鎖状アルキル鎖のｎ−アルキル部分における炭素原子数に伴って低下し、ある長さのｎ−アルキル部分から、即ちその中のある炭素数からガラス転移温度が再び上昇するからである。本発明では、本発明のコポリマーの微細構造を適当に調節し、従ってコポリマーを含んでなる組成物の機械的性能および安定性能を最適化するために、ガラス転移温度を範囲内に収めることは必須である。
【００３０】
その結果、モノマーＢは、ＣＯＯ-Ｃ１〜Ｃ１４アルキルからなる、好ましくはＣＯＯ-Ｃ２〜Ｃ１４アルキルからなる、より好ましくはＣＯＯ-Ｃ２〜Ｃ１２アルキルからなる、特に好ましくはＣＯＯ-Ｃ４〜Ｃ１２アルキルからなる群から選択されるエステル部分を有する。明確性のためだけに記載すると、「ＣＯＯ-Ｃ１アルキル」とは-ＣＯＯ-ＣＨ３を意味し、「ＣＯＯ-Ｃ２〜Ｃ１２アルキル」は、-ＣＯＯ-（ＣＨ２）１１-ＣＨ３までの構成要素である-ＣＯＯ-（ＣＨ２）-ＣＨ３、-ＣＯＯ-（ＣＨ２）２-ＣＨ３、-ＣＯＯ-（ＣＨ２）３-ＣＨ３などを包含する。
【００３１】
モノマーＢの使用によるかなり意外な効果は、本発明のコポリマーにおけるその挙動である。重合状態のモノマーＢのガラス転移温度が低いほど、モノマーＢは先に記載したようにかなり軟質のコポリマーをもたらす。これは、モノマー混合物にかなりの量のモノマーＢを添加して重合させると実際に観察される。しかしながら、上記モノマーＢが本発明のコポリマーにおいてモノマーＡの重量の最大３分の１に達するならば、本発明のコポリマーは軟質ではなくより硬質になる一方で、表２の曲げ強度の上昇した値から分かるように可撓性になる。これは意外であるが、コポリマー或いはレオロジーまたは化粧品組成物がより良好なスタイリング、コンディショニングまたはレオロジー改質性能を示すという要件を満たす。
【００３２】
本発明の範囲のレオロジー組成物は、本発明のコポリマーが組成物の機械的性質、例えば、その粘度、その流動性、またはその崩壊しにくい傾向を調節するために役立つ組成物である。
【００３３】
本発明の化粧品組成物は、ヒトまたは動物のケラチン表面または皮膚を変えたり改善したり清浄化するためにヒトまたは動物の身体に適用される組成物である。そのような化粧品組成物を以下において更に説明する。
【００３４】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは２４℃以下のガラス転移温度を有し、モノマーＡの重量の最大２／７に達する。
【００３５】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは２４℃以下のガラス転移温度を有し、モノマーＡの重量の最大１／７に達する。
【００３６】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは０℃以下のガラス転移温度を有し、モノマーＡの重量の最大２／７に達する。
【００３７】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは０℃以下のガラス転移温度を有し、モノマーＡの重量の最大１／７に達する。
【００３８】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは−１８℃以下のガラス転移温度を有し、モノマーＡの重量の最大２／７に達する。
【００３９】
本発明の別の態様では、レオロジーまたは化粧品組成物のためのコポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは−１８℃以下のガラス転移温度を有し、モノマーＡの重量の最大１／７に達する。
【００４０】
本発明の別の態様は、上記６つの態様からなる群から選択される。しかしながら、それぞれのモノマーＢは、モノマーＡの重量の最大１／８に達する。
【００４１】
モノマーＣとしての環式Ｎ−ビニルアミドは、水における、従って多量の水を含む溶媒における本発明のコポリマーの溶解性をかなり高めるので、本発明のコポリマーの重要な部分を構成する。好ましくは、環式Ｎ−ビニルアミドはＮ−ビニルラクタムである。より広範な態様では、環式Ｎ−ビニルアミドは、その誘導体、例えば１つ以上のＣ１〜Ｃ６アルキル置換基、例えば、メチル、エチル、ｎ−プロピル、イソプロピル、ｎ−ブチル、ｓｅｃ−ブチル、ｔｅｒｔ−ブチルなどを有する誘導体も包含する。
【００４２】
より好ましい態様では、モノマーＣは、Ｎ−ビニルピロリドン、Ｎ−ビニルピペリドン、Ｎ−ビニルカプロラクタム、Ｎ−ビニル−５−メチル−２−ピロリドン、Ｎ−ビニル−５−エチル−２−ピロリドン、Ｎ−ビニル−６−メチル−２−ピペリドン、Ｎ−ビニル−６−エチル−２−ピペリドン、Ｎ−ビニル−７−メチル−２−カプロラクタム、Ｎ−ビニル−７−エチル−２−カプロラクタムからなる群から選択される化合物を含んでなる。
【００４３】
別の態様では、モノマーＣは、Ｎ−ビニルピロリドン、Ｎ−ビニルカプロラクタム、Ｎ−ビニルホルムアミドおよびそれらの混合物からなる群から選択される。ただし、Ｎ−ビニルホルムアミドは常に、Ｎ−ビニルピロリドン、Ｎ−ビニルカプロラクタムの少なくとも１つと組み合わされる。
【００４４】
本発明のコポリマーは、その全体の電荷が負であるケラチン表面と、特に毛髪と良好に接触する構成要素も必要とする。本発明のコポリマーに良好なコンディショニング能を付与するこの要件は、モノマーＤであり、ラジカル重合性α，β−エチレン性不飽和二重結合および少なくとも１つのカチオン性および／またはカチオノゲン性基を有する少なくとも１つの化合物によって満たされる。
【００４５】
１つの態様では、モノマーＤのカチオン性および／またはカチオノゲン性基は窒素含有基である。もしある程度本発明のコポリマーに電子供与体を持たせたい場合は、当業者は選択的に行うことができる。
【００４６】
別の態様では、カチオン性および／またはカチオノゲン性基は、第一級、第二級および第三級アミノ基からなる群から選択される。
【００４７】
別の態様では、カチオン性および／またはカチオノゲン性基は第四級アンモニウム基である。しかしながら、モノマーＤが第四級アンモニウム基を有するならば、そのような本発明のコポリマーは、液状または固体状化粧品組成物において、ヒトまたは動物の身体に無害な方法でもっぱら適用することができる。本発明の範囲において「第四級アンモニウム基」とは、４つのアルキル基（これらの基は、同じまたは異なっており、それぞれ少なくとも１個の炭素原子を有する）によって囲まれた中心窒素原子を有する構成要素であると理解される。
【００４８】
カチオン性および／またはカチオノゲン性基は、好ましくは第三級アミノ基である。
【００４９】
荷電カチオン性基は、例えばカルボン酸（例えば乳酸）または鉱酸（例えば、リン酸、硫酸および塩酸）を用いたプロトン化によって、或いは例えばアルキル化剤（例えばＣ１〜Ｃ４アルキルハライドまたはスルフェート）を用いた四級化によって、アミン窒素から形成される。そのようなアルキル化剤の例は、塩化エチル、臭化エチル、塩化メチル、臭化メチル、ジメチルスルフェートおよびジエチルスルフェートである。
【００５０】
適当なモノマーＤは、α，β−エチレン性不飽和モノおよびジカルボン酸とＣ２〜Ｃ１２アミノアルコールとのエステルからなる群から選択され、Ｃ２〜Ｃ１２アミノアルコールはアミン窒素でＣ１〜Ｃ８ジアルキル化されている。「Ｃ２〜Ｃ１２アミノアルコール」とは、２〜１２個の炭素原子を有する炭素主鎖を有するアミノアルコールを意味する。用語「Ｃ１〜Ｃ８ジアルキル化」とは、２つのアルキル基がアミン窒素に結合し、アルキル基がそれぞれ１〜８個の炭素原子を有することを意味する。
【００５１】
これらのエステルの適当なα，β−エチレン性不飽和モノまたはジカルボン酸は、アクリル酸、メタクリル酸、エタクリル酸、α−クロロアクリル酸、フマル酸、マレイン酸、イタコン酸、シトラコン酸、メサコン酸、グルタコン酸、アコニット酸、クロトン酸、無水マレイン酸、モノブチルマレエートおよびそれらの混合物からなる群から選択される。アクリル酸、メタクリル酸およびそれらの混合物を使用することが好ましい。
【００５２】
幾分好ましい態様では、適当なモノマーＤはアクリル酸とＣ２〜Ｃ１２アミノアルコールとのエステルからなる群から選択され、Ｃ２〜Ｃ１２アミノアルコールはアミン窒素でＣ１〜Ｃ８ジアルキル化されている。同様に好ましい本発明の態様では、適当なモノマーＤはメタクリル酸とＣ２〜Ｃ１２アミノアルコールとのエステルからなる群から選択され、Ｃ２〜Ｃ１２アミノアルコールはアミン窒素でＣ１〜Ｃ８ジアルキル化されている。
【００５３】
好ましいモノマーＤは、Ｎ，Ｎ−ジメチルアミノメチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノシクロヘキシル（メタ）アクリレートからなる群から選択される。これらのうち好ましく使用されるものは、Ｎ，Ｎ−ジメチルアミノエチル（メタ）アクリレートまたはＮ，Ｎ−ジメチルアミノプロピル（メタ）アクリレートまたはそれらの混合物である。
【００５４】
適当なモノマーＤは、第三級アミノ基および第一級または第二級アミノ基を有するジアミンとラジカル重合性α，β−エチレン性不飽和モノおよびジカルボン酸とのアミドからも選択される。非環式ジアミンは特別に扱われる。そのような適当なモノマーＤは好ましくは、第三級アミノ基および第一級または第二級アミノ基を有する非環式ジアミンと前記ラジカル重合性α，β−エチレン性不飽和モノおよびジカルボン酸とのアミドから選択される。「前記」とは、１４個のラジカル重合性α，β−エチレン性不飽和モノおよびジカルボン酸およびそれらの各混合物からなる先に記載した群を意味する。そのようなモノマーＤの付加的作用は、負荷電性表面、負荷電性ケラチン表面（例えば毛髪）との相互作用能だけでなく、アミド基に起因するペプチド結合との高適合性能である。従って、タンパク質表面、即ちケラチン表面との魅力ある相互作用が改善される。
【００５５】
本発明の別の好ましい態様では、適当なモノマーＤは、第三級アミノ基および第一級または第二級アミノ基を有するジアミンとアクリル酸および／またはメタクリル酸とのアミドから選択される。この態様では、非環式ジアミンがより好ましい。
【００５６】
モノマーＤの非常に好ましい態様は、Ｎ−［２−（ジメチルアミノ）エチル］アクリルアミド、Ｎ−［２−（ジメチルアミノ）エチル］メタクリルアミド、Ｎ−［３−（ジメチルアミノ）プロピル］アクリルアミド、Ｎ−［３−（ジメチルアミノ）プロピル］メタクリルアミド、Ｎ−［４−（ジメチルアミノ）ブチル］アクリルアミド、Ｎ−［４−（ジメチルアミノ）ブチル］メタクリルアミド、Ｎ−［２−（ジエチルアミノ）エチル］アクリルアミド、Ｎ−［４−（ジメチルアミノ）シクロヘキシル］アクリルアミド、Ｎ−［４−（ジメチルアミノ）シクロヘキシル］メタクリルアミドからなる群から選択される。
【００５７】
本発明の最も好ましい態様では、モノマーＤはＮ−［３−（ジメチルアミノ）プロピル］メタクリルアミドである。
【００５８】
本発明のコポリマーの別の必須要素は、モノマーＥとしての、少なくとも１つのモノエチレン性不飽和カルボン酸である。「モノエチレン性不飽和」とは、分子内に１つの不飽和構成要素しか存在せず、この構成要素がカルボン酸基のα近傍にあることを意味する。このタイプのモノマーに起因して、本発明のコポリマーの水溶液中溶解性が増加する。
【００５９】
モノマーＥは、アニオノゲン性またはアニオン性化合物である。本発明の範囲において、「アニオノゲン性化合物」とは、通常の、好ましくは化粧品に許容されている、有機または無機塩基による脱プロトン化によって対応するアニオン性形態に転化され得る化合物を意味すると理解される。これは、本発明の範囲において、モノマーＥとしてのモノエチレン性不飽和カルボン酸がその非荷電性形態および負荷電性形態の両方を含むことを意味する。
【００６０】
「モノマーＥとしてのモノエチレン性不飽和カルボン酸」も同様に、オレフィン性不飽和ラジカル重合性カルボン酸並びにその有機および無機塩からなる群から選択される少なくとも１つの構成要素を含む。
【００６１】
モノマーＥは、モノカルボン酸、ジカルボン酸、カルボン酸無水物、およびジカルボン酸半エステルからなる群から選択される。
【００６２】
好ましくはモノマーＥは、アクリル酸、メタクリル酸、エタクリル酸、α−クロロアクリル酸、クロトン酸、マレイン酸、無水マレイン酸、イタコン酸、シトラコン酸、メサコン酸、グルタコン酸、アコニット酸、フマル酸、４〜１０個、好ましくは４〜６個の炭素原子を有するオレフィン性不飽和ジカルボン酸の半エステルおよびそれらの塩からなる群から選択される。
【００６３】
より好ましくはモノマーＥは、アクリル酸、メタクリル酸、クロトン酸、イタコン酸およびそれらの塩およびそれらの混合物からなる群から選択される少なくとも１つの化合物である。
【００６４】
最も好ましい態様では、モノマーＥはメタクリル酸である。このモノマー自体、本発明のコポリマーに幾つかの利点をもたらす。それは易入手性およびコスト効果である。更に、メタクリル酸の性質の故に、これは、本発明のコポリマーにある程度のしかしながら適度な剛性をもたらすと同時に、コポリマーの水溶液中溶解性の増加に役立つ。
【００６５】
モノマーＢおよびＥは本発明のコポリマーの、従ってその本発明の組成物の機械的性質の微調整にある程度関与すると考えられる。モノマーＥはより硬質にするのに役立ち、モノマーＢはより可撓性にするのに役立つ。いずれの性質も微調整のために必要とされるが、そのような作用は、本発明のコポリマーまたはその本発明の組成物が適用される基材との十分な相互作用の要件を覆してはならない。
【００６６】
本発明の範囲において「基材」とは、本発明のコポリマーまたはその本発明の組成物が適用される液体または固体を意味する。そのような基材は、好ましくは皮膚およびケラチン表面を包含し、その中でも毛髪が特に好ましい。別の態様におけるそのような基材は、建築材料を包含する。更に別の態様では、そのような基材は種子、天然土壌および腐植土を包含する。
【００６７】
ある程度のコポリマー−基材または組成物−基材相互作用を確実にするため、総コポリマー重量はモノマーＡ〜Ｅの重量の和であり、１００重量％に相当することを条件に、モノマーＢおよびモノマーＥの和は、総コポリマー重量の２０重量％を超えず、好ましくは最大１８重量％、より好ましくは最大１３重量％、最も好ましくは最大８重量％である。これらの量を守ることにより、よりタンパク質親和性またはペプチド親和性、特によりケラチン親和性のモノマーＣおよびＤに十分な空間がなお残され、これにより、より高濃度で使用した際にケラチン表面または皮膚との幾分より強い相互作用が促進される。これはまた、実際に観察されるフレーク化低減にも寄与し、先行技術のコポリマーより優れている。モノマーＡ〜Ｅの各重量は、それぞれのモノマーの各重量であると見なされる。
【００６８】
本発明の最も好ましい態様では、モノマーＣはＮ−ビニルピロリドンである。なぜなら、このモノマーはいったん重合すると本発明のコポリマーにおいて個々の特徴を統合するからである。第一に、Ｎ−ビニルピロリドンは毒性がなく、広く、医薬品であっても使用することができる。第二に、Ｎ−ビニルピロリドンは、本発明のコポリマーに高度の水溶液中溶解性をもたらす。しかしながら、例えばヘアスタイルに適用した後、このコポリマーの組成物をいったん乾燥すると、重合状態のモノマーＣは、ペプチドまたはタンパク質構造、例えば皮膚のペプチドまたはタンパク質構造或いは毛髪のケラチンと相互作用する性質を発揮する。その中程度の大きさのラクタム環の故に、共重合状態のモノマーＣの相互作用は著しすぎることも弱すぎることもない。
【００６９】
本発明の別の態様では、モノマーＤは、非四級化化合物、好ましくは非四級化アクリルアミドまたは非四級化メタクリルアミドである。スプレーまたはエーロゾルの形態で適用するために設計された化粧品組成物において本発明のコポリマーを使用する場合、この態様が重視される。非四級化状態であれば、そのような組成物は無害であることが知られている。本発明の範囲において「四級化」とは、先に記載したアルキル化剤に曝されることにより、自体または共重合状態のモノマーＤの非荷電アミン窒素が正荷電性構成要素に転化されることを意味する。従って、「非四級化」とは、アミン窒素が、アルキル化剤の作用に起因して正荷電性とはならないが、有機または無機酸に由来するプロトンの作用に起因して正荷電性となるか、或いは電荷を持たないことを意味する。
【００７０】
非四級化（メタ）アクリルアミドが、タンパク質またはペプチド構造に対してより大きい親和性を示すので、非四級化（メタ）アクリレートより好ましい。
【００７１】
本発明の別の態様では、モノマーＥが１７０℃以上、より好ましくは１９０℃以上のガラス転移温度Ｔｇを有するコポリマーの保護を求める。より好ましくは、ガラス転移温度Ｔｇは２１０℃以上または２２０℃以上である。モノマーＥが２１０℃〜２３０℃のガラス転移温度範囲を有することも好ましい。実際、ガラス転移温度が高いほど、前記モノマーはより硬質になる。本発明のモノマー集合体にモノマーＢを少なくとも制御せずに添加すると、そのコポリマーはより軟質になり、低いガラス転移温度を有するモノマーＥは同じ方向を向く（同じ傾向にある）ので、このモノマーＥが上昇したガラス転移温度を有すべきことを示す。
【００７２】
高い負の総正味電荷を有するコポリマーは、同様に負荷電性である毛髪のケラチン表面と著しくは相互作用せず、ケラチン表面をコポリマー自体によって予め決められた構造にするので、スタイリングポリマーとして役立つために良好に適用される。従って、本発明の別の態様は、非中性化および非四級化形態で負の正味電荷を有するコポリマーを提供する。本発明の範囲において「負の正味電荷」とは、本発明のコポリマーが、共重合反応前、共重合反応中または共重合反応後にプロトンによる中和およびアルキル化剤による四級化が確認されない条件下にある場合に負に荷電されていることを意味すると理解される。本発明のコポリマーの非中性化形態は、６〜８、好ましくは７のｐＨとならない形態である。モノマーＥの非中性化形態は、酸または塩基による処理を伴わずにモノマーＥが取る形態である。「非四級化」とは、アミン窒素原子が、アルキル化剤の作用に起因して正荷電性とはならないが、先に記載したように、有機または無機酸に由来するプロトンの作用に起因して正荷電性となるか、或いは電荷を持たないことを意味する。
【００７３】
本発明のコポリマーには、負の正味電荷が好ましい。しかしながら、前記正味電荷が大きすぎれば、コポリマーのコンディショニング能は損なわれる。特に、負荷電性ケラチン表面とコポリマーの間に斥力が存在するので、そのコンディショニング作用は非常に低い。この要求に対応すると同時にある程度のスタイリング作用をもたらすために、本発明の１つの態様では、本発明のコポリマーの負の正味電荷を５より小さく、好ましくは４より小さく、より好ましくは１〜３、最も好ましくは２〜３に調節する。
【００７４】
コポリマーを適用する皮膚におよび／またはケラチン表面（例えば毛髪）に良好な相互作用を付与するコポリマーまたはその化粧品組成物は、ペプチドまたはタンパク質構造との良好な相互作用能を有する。ケラチン表面の場合、これには、正荷電性構造、並びにタンパク質（例えばケラチン）のペプチド結合と相互作用できる電子受容体および電子供与体として作用する構造が必要とされる。前記した同様の相互作用能は、本発明のレオロジー組成物の機械的性質（例えば、粘度、流動性、または崩壊しにくい傾向）を改善するのにも有用である。更に、そのような本発明のレオロジー組成物の相互作用能は、構造物材料におけるレオロジー改質剤またはカプセル化手段としての；或いは農業用組成物または植物保護組成物における乳化手段または適用量決定手段としての使用に有利である。前記した相互作用能は、本発明の別の態様において、総コポリマー重量はモノマーＡ〜Ｅの重量の和であり、１００重量％に相当することを条件に、本発明のコポリマーのモノマーＣおよびモノマーＤの和が総コポリマー重量の４５重量％〜７５重量％、好ましくは４７重量％〜７５重量％、より好ましくは５０重量％〜７０重量％、より好ましくは５０重量％〜６５重量％、より好ましくは５２重量％〜６５重量％、最も好ましくは５２重量％〜６０重量％の範囲である場合に著しいことが分かった。モノマーＣがそのアミド構造に起因してペプチド結合と相互作用する性質を示すのに対し、モノマーＤはプロトン化されると負荷電性表面と強度に相互作用する。しかしながら、本発明のコポリマーの良好な水溶液中溶解性、およびスタイリング作用のために必須のある程度のコポリマー剛性も必要とされるので、ペプチドまたはタンパク質構造とのコポリマーの相互作用能のみを利用しないことに注意すべきである。これらの要件の全ては、先に記載した態様によって満たされる。
【００７５】
モノマーＤは、ケラチン表面へのコポリマーの結合能に実質的に寄与するので、そのコンディショニング性能を高める。モノマーＥは、本発明のコポリマーを水性溶媒中でより安定にし、より硬質にし、その負特性の故にそのスタイリング作用を改善する。しかしながら、本発明のコポリマーは、乾燥状態で部分的フレーク化をまねく脆すぎる性質を有すべきでない。やはり、コポリマーは良好な剛化効果および高い曲げ強度を有すべきである。また、本発明のコポリマーの溶液、即ちその化粧品組成物は、澄明な外観、および噴射剤との高い適合性を有すべきである。全ての要件を満たすために、本発明の別の態様は、モノマーＤをモノマーＥに対して過剰の重量で用い、その重量過剰は、総コポリマー重量はモノマーＡ〜Ｅの重量の和であり、１００重量％に相当することを条件に、少なくとも、モノマーＥの重量の３．５倍、モノマーＥの重量の好ましくは５倍、モノマーＥの重量のより好ましくは７倍、モノマーＥの重量のより好ましくは８倍、モノマーＥの重量の最も好ましくは２５／３倍である、コポリマーを提供する。
【００７６】
先に記載した要求を満たすレオロジーまたは化粧品組成物のためのコポリマーは、以下からなる群から選択される：３０〜５０重量％のモノマーＡとしての、分岐アクリル酸エステルである第一アクリル酸エステル；３〜２０重量％のモノマーＢとしての、直鎖アクリル酸エステルである少なくとも１つの更なるアクリル酸エステル；１５〜３５重量％のモノマーＣとしての環式Ｎ−ビニルアミド；１５〜３０重量％の、モノマーＤであり、ラジカル重合性α，β−エチレン性不飽和二重結合および少なくとも１つのカチオン性および／またはカチオノゲン性基を有する少なくとも１つの化合物；０．１〜１０重量％のモノマーＥとしての少なくとも１つのモノエチレン性不飽和カルボン酸を含んでなるコポリマーであって、重合状態のモノマーＢは２４℃以下のガラス転移温度を有し、総コポリマー重量がモノマーＡ〜Ｅの重量の和であり、１００重量％に相当することを条件にモノマーＡの重量の最大３分の１に達する、コポリマー。
【００７７】
先に記載した要求を満たすレオロジーまたは化粧品組成物のための別の有利なコポリマーは、以下からなる群から選択される：３０〜５０重量％のモノマーＡとしての、分岐アクリル酸エステルである第一アクリル酸エステル；４〜１５重量％のモノマーＢとしての、直鎖アクリル酸エステルである少なくとも１つの更なるアクリル酸エステル；１５〜３５重量％のモノマーＣとしての環式Ｎ−ビニルアミド；１５〜３０重量％の、モノマーＤであり、ラジカル重合性α，β−エチレン性不飽和二重結合および少なくとも１つのカチオン性および／またはカチオノゲン性基を有する少なくとも１つの化合物；０．１〜１０重量％のモノマーＥとしての少なくとも１つのモノエチレン性不飽和カルボン酸を含んでなるコポリマーであって、重合状態のモノマーＢは２４℃以下のガラス転移温度を有し、総コポリマー重量がモノマーＡ〜Ｅの重量の和であり、１００重量％に相当することを条件にモノマーＡの重量の最大３分の１に達する、コポリマー。
【００７８】
先に記載した要求を満たすレオロジーまたは化粧品組成物のための別のコポリマーは、以下からなる群から選択される：３０〜５０重量％のモノマーＡとしての、分岐アクリル酸エステルである第一アクリル酸エステル；３〜２０重量％のモノマーＢとしての、直鎖アクリル酸エステルである少なくとも１つの更なるアクリル酸エステル；１５〜３５重量％のモノマーＣとしての環式Ｎ−ビニルアミド；１５〜３０重量％の、モノマーＤであるＮ−［３−（ジメチルアミノ）プロピル］メタクリルアミド；０．１〜１０重量％のモノマーＥとしての少なくとも１つのモノエチレン性不飽和カルボン酸を含んでなるコポリマーであって、重合状態のモノマーＢは２４℃以下のガラス転移温度を有し、総コポリマー重量がモノマーＡ〜Ｅの重量の和であり、１００重量％に相当することを条件にモノマーＡの重量の最大３分の１に達する、コポリマー。
【００７９】
先に記載した要求を満たす本発明の別の態様は、以下からなる群から選択されるレオロジーまたは化粧品組成物のためのコポリマーを提供する：３０〜５０重量％のモノマーＡとしての、分岐アクリル酸エステルである第一アクリル酸エステル；３〜２０重量％のモノマーＢとしての、直鎖アクリル酸エステルである少なくとも１つの更なるアクリル酸エステル；１５〜３５重量％のモノマーＣとしての環式Ｎ−ビニルアミド；１５〜３０重量％の、モノマーＤであり、ラジカル重合性α，β−エチレン性不飽和二重結合および少なくとも１つのカチオン性および／またはカチオノゲン性基を有する少なくとも１つの化合物；０．１〜１０重量％のモノマーＥとしてのメタクリル酸を含んでなるコポリマーであって、重合状態のモノマーＢは２４℃以下のガラス転移温度を有し、総コポリマー重量がモノマーＡ〜Ｅの重量の和であり、１００重量％に相当することを条件にモノマーＡの重量の最大３分の１に達する、コポリマー。
【００８０】
先に記載した要求を満たす本発明の別の態様は、以下からなる群から選択されるレオロジーまたは化粧品組成物のためのコポリマーを提供する：３０〜５０重量％のモノマーＡとしての、分岐アクリル酸エステルである第一アクリル酸エステル；５〜１０重量％のモノマーＢとしての、直鎖アクリル酸エステルである少なくとも１つの更なるアクリル酸エステル；１５〜３５重量％のモノマーＣとしての環式Ｎ−ビニルアミド；１５〜３０重量％の、モノマーＤであり、ラジカル重合性α，β−エチレン性不飽和二重結合および少なくとも１つのカチオン性および／またはカチオノゲン性基を有する少なくとも１つの化合物；０．１〜１０重量％のモノマーＥとしての少なくとも１つのモノエチレン性不飽和カルボン酸を含んでなるコポリマーであって、重合状態のモノマーＢは２４℃以下のガラス転移温度を有し、総コポリマー重量がモノマーＡ〜Ｅの重量の和であり、１００重量％に相当することを条件にモノマーＡの重量の最大３分の１に達する、コポリマー。
【００８１】
非常に好ましい態様では、本発明のコポリマーは、３０〜５０重量％のモノマーＡとしてのｔｅｒｔ−ブチルアクリレート；３〜２０のモノマーＢとしての、ｎ−エチルアクリレート、ｎ−ブチルアクリレートおよびｎ−ラウリルアクリレートからなる群から選択される直鎖アクリル酸エステルである少なくとも１つの更なるアクリル酸エステル；１５〜３５重量％のモノマーＣとしてのＮ−ビニルピロリドン；１５〜３０重量％のモノマーＤとしてのＮ−［３−（ジメチルアミノ）プロピル］メタクリルアミド；０．１〜１０重量％のモノマーＥとしてのメタクリル酸からなり、重合状態のモノマーＢは２４℃以下のガラス転移温度を有し、総コポリマー重量がモノマーＡ〜Ｅの重量の和であり、１００重量％に相当することを条件にモノマーＡの重量の最大３分の１に達する。
【００８２】
本発明の別の態様は、上記６つの態様からなる群から選択される。しかしながら、重合状態のモノマーＢは、１０℃以下、好ましくは０℃以下、より好ましくは−１８℃以下、更には−５０℃以下のガラス転移温度を有する。
【００８３】
別の態様は、上記７つの態様からなる群から選択される。しかしながら、それぞれのモノマーＢは、モノマーＡの重量の最大２／７、好ましくは１／７、更には１／８に達する。
【００８４】
本発明のコポリマーの製造方法の保護も求める。前記コポリマーは、下記工程：ｉ）モノマーＣ、モノマーＤおよびモノマーＥの混合物２〜６０重量％を含有する水溶液を調製する工程；ｉｉ）モノマーＡ、モノマーＢおよびモノマーＤの混合物２〜６０重量％を含有する水溶液を調製する工程；ｉｉｉ）一定量の工程ｉ）の水溶液に一定量の工程ｉｉ）の水溶液を添加する工程；ｉｖ）一定量の開始剤Ｙの溶液を添加する工程；ｖ）工程ｉ）〜ｉｖ）から得た混合物を６０℃〜１２０℃の範囲の温度に加熱する工程；ｖｉ）撹拌しながら工程ｉ）、ｉｉ）およびｉｖ）の水溶液の残余を添加する工程；ｖｉｉ）冷却後に混合物を中和する工程；ｖｉｉｉ）７０〜１２０℃の範囲の温度で溶媒をストリップする工程を含む、溶液中での重合によって得られる。
【００８５】
この方法の非常に好ましい態様では、工程ｉ）およびｉｉ）の水溶液は共溶媒としてのイソプロパノールを含んでなる水溶液である。最も好ましい態様では、工程ｉ）およびｉｉ）の水溶液は溶媒として水およびイソプロパノールをもっぱら含有する。前記水溶液中の溶媒として水およびイソプロパノールをもっぱら使用することにより、当業者は、本発明のモノマーの全てを適切に、即ちいかなる問題も伴わずに親水性モノマーおよび疎水性モノマーを溶解することができる。
【００８６】
本発明の範囲において「モノマーＣ、モノマーＤおよびモノマーＥの混合物」とは、合成される本発明のコポリマーにおける各モノマーの重量または重量パーセント値が総コポリマー重量に関係し、総コポリマー重量をもたらす限りは各モノマーの割合を問わず、前記モノマーのあらゆる混合物であると理解される。
【００８７】
好ましい態様では、モノマーＣ、モノマーＤおよびモノマーＥの混合物において使用されるモノマーＤの重量は、全体で使用されるモノマーＤの重量の半分である。
【００８８】
本発明の範囲において「モノマーＡ、モノマーＢおよびモノマーＤの混合物」とは、合成される本発明のコポリマーにおける各モノマーの重量または重量パーセント値が総コポリマー重量に関係し、総コポリマー重量をもたらす限りは各モノマーの割合を問わず、前記モノマーのあらゆる混合物であると理解される。
【００８９】
好ましい態様では、モノマーＡ、モノマーＢおよびモノマーＤの混合物において使用されるモノマーＤの重量は、全体で使用されるモノマーＤの重量の半分である。
【００９０】
モノマーＤは、疎水性および親水性の両方を有する。従って、モノマーＤは、疎水性化合物とも親水性化合物とも良好に混ざる。共重合中のモノマーＤの混合を均一かつ完全なものとするために、モノマーＤは、モノマーＣ、モノマーＤおよびモノマーＥの混合物を含有する水溶液およびモノマーＡ、モノマーＢおよびモノマーＤの混合物を含有する水溶液に等しく分配する。
【００９１】
工程ｉ）の水溶液の一定分量は、工程ｉ）の溶液の一部であると見なされる。同様に、工程ｉｉ）の水溶液の一定分量は、工程ｉｉ）の溶液の一部であると見なされる。工程ｉ）の水溶液の一定量のみを使用する主要な態様では、適当かつ均一に重合反応が達成される。従って、本発明の好ましい態様では、工程ｉ）の水溶液の一定量は、この水溶液の１／１０〜１／３、好ましくは１／８〜１／４、最も好ましくは１／７〜１／５である。同じ理由から、本発明の好ましい別の態様では、工程ｉｉ）の水溶液の一定量は、この水溶液の１／２０〜１／４、好ましくは１／１６〜１／８、最も好ましくは１／１２〜１／１０である。
【００９２】
工程ｉ）の水溶液の一定量がこの水溶液の１／１０〜１／３であり、工程ｉｉ）の水溶液の一定量がこの水溶液の１／２０〜１／４であるように、工程ｉｉ）の水溶液の一定量を工程ｉ）の水溶液の一定量に添加するならば、非常に円滑かつ均一な共重合が達成される。工程ｉ）の水溶液の一定量がこの水溶液の１／８〜１／４であり、工程ｉｉ）の水溶液の一定量がこの水溶液の１／１６〜１／８であるように、工程ｉｉ）の水溶液の一定量を工程ｉ）の水溶液の一定量に添加するならば、なお良好な結果が得られる。工程ｉ）の水溶液の一定量がこの水溶液の１／７〜１／５であり、工程ｉｉ）の水溶液の一定量がこの水溶液の１／１２〜１／１０であるように、工程ｉｉ）の水溶液の一定量を工程ｉ）の水溶液の一定量に添加するならば、非常に満足のいく共重合結果が得られる。
【００９３】
本発明のコポリマーのための共重合は、開始剤Ｙによって開始される。開始剤Ｙは、ペルオキソ化合物からなる群から選択される。具体的には開始剤Ｙは、ジアセチルペルオキシド、ジベンゾイルペルオキシド、スクシニルペルオキシド、ジ−ｔｅｒｔ−ブチルペルオキシド、ｔｅｒｔ−ブチルペルベンゾエート、ｔｅｒｔ−ブチルペルピバレート、ｔｅｒｔ−ブチル−ペルオキシ−２−エチルヘキサノエート、ｔｅｒｔ−ブチルペルマレエート、ジイソプロピルペルオキシジカルバメート、ビス（ｏ−トルオイル）ペルオキシド、ジデカノイルペルオキシド、ジオクタノイルペルオキシド、ジラウロリルペルオキシド、ｔｅｒｔ−ブチルペルイソブチレート、ｔｅｒｔ−ブチルペルアセテート、ジ−ｔｅｒｔ−アミルペルオキシド、ｔｅｒｔ−ブチルヒドロペルオキシド、ｔｅｒｔ−アミルヒドロペルオキシド、クメンヒドロペルオキシド、ピナンヒドロペルオキシド、２，５−ジメチル−２，５−ジ（ｔｅｒｔ−ブチルペルオキシ）ヘキサンを含む群から選択される。
【００９４】
別の態様では、開始剤Ｙは、脂肪族または脂環式アゾ化合物からなる群から選択される。具体的には開始剤Ｙは、２，２’−アゾビス（イソブチロニトリル）、２，２’−アゾビス（２−メチルブチロニトリル）（Wako V-59.RTM.）、２，２’−アゾビス（２，４−ジメチルバレロニトリル−）、１，１’−アゾビス（１−シクロヘキサンカルボニトリル）、２，２’−アゾビス（２−アミジノプロパン）ヒドロクロリド（Wako V-50@）、２−（カルバモイルアゾ）イソブチロニトリル、４，４’−アゾビス（４−シアノ吉草酸）およびそのアルカリ金属塩およびアンモニウム塩、例えばナトリウム塩、ジメチル−２，２’−アゾビスイソブチレート、２，２’−アゾビス［２−（２−イミダゾリン−２−イル）プロパン］（Wako VA-061 .RTM.）、２，２’−アゾビス（２−アミジノプロパン）およびその酸付加塩、例えばジヒドロクロリド、ジメチル−２，２’−アゾビス（２−メチルプロピオネート）（Wako V-601 .RTM.）から選択される。
【００９５】
開始剤Ｙは、過酸化水素、還元剤と組み合わせたヒドロペルオキシド、および過酸塩からなる群からも選択される。具体的には開始剤Ｙは、それぞれの場合に例えばヒドロキシメタンスルフィン酸塩、鉄（ＩＩ）塩またはアスコルビン酸と組み合わせた、ｔｅｒｔ−ブチルヒドロペルオキシド、ｔｅｒｔ−アミルヒドロペルオキシド、クメンヒドロペルオキシドおよびピナンヒドロペルオキシドからなる群からも選択される。適当な過酸塩は、具体的にはアルカリ金属ペルオキソジスルフェートである。
【００９６】
前記開始剤Ｙの別の詳細な態様は、アスコルビン酸／鉄（ＩＩ）スルフェート／ペルオキソ二硫酸ナトリウム、ｔｅｒｔ−ブチルヒドロペルオキシド／二亜硫酸ナトリウム、ｔｅｒｔ−ブチルヒドロペルオキシド／ヒドロキシメタンスルフィン酸ナトリウム、Ｈ２Ｏ２／ＣｕおよびＨ２Ｏ２／アスコルビン酸を包含する。
【００９７】
開始剤Ｙは、可溶化形態で溶液ｉ）の一定量および溶液ｉｉ）の一定量に添加される。開始剤Ｙの溶液は、開始剤を溶解できる溶媒を含んでなる。開始剤Ｙの溶液の溶媒は、好ましくは少なくとも１つの極性非プロトン性溶媒またはその混合物である。別の好ましい態様では、開始剤Ｙの溶液の溶媒は、少なくとも１つのアルコールまたはその混合物であり、非常に好ましい態様では、開始剤Ｙの溶液の溶媒はイソプロパノールである。
【００９８】
使用される開始剤Ｙの量は、一般に、総コポリマー重量に基づいて約０．１〜２重量％の範囲である。
【００９９】
開始剤Ｙの溶液の一定量は、開始剤の溶液の総量の最大１／２である。より好ましい態様では、開始剤Ｙの溶液の一定量は、開始剤の溶液の総量の１／４０〜１／３、好ましくは１／２０〜１／７、より好ましくは１／１６〜１／１０、最も好ましくは１／１５．１２５〜１／１２の範囲である。非常に迅速かつ均一な共重合が、開始剤Ｙの溶液の一定量について最も好ましい範囲を考慮することによって達成されることが分かった。
【０１００】
工程ｉ）〜ｉｖ）から得られた混合物を６０℃〜１２０℃、好ましくは７０℃〜１００℃、最も好ましくは７５℃〜９０℃の範囲の温度に加熱すると、相応の時間内に高い共重合収率が実現される。
【０１０１】
好ましくは工程ｖ）の後に、共重合が開始した時点で、撹拌しながら工程ｉ）、ｉｉ）およびｉｖ）の水溶液の残余を添加する。共重合の過程において反応混合物の粘度が更に上昇することを解決するために、撹拌は激しくなければならない。「工程ｉ）の残余」とは、工程ｉｉｉ）に記載の工程ｉ）の水溶液の一定量に関して導かれる工程ｉ）の水溶液であると理解される。「工程ｉｉ）の残余」とは、工程ｉｉｉ）に記載の工程ｉｉ）の水溶液の一定量に関して導かれる工程ｉｉ）の水溶液であると理解される。「工程ｉｖ）の残余」とは、工程ｉｖ）に記載の開始剤Ｙの溶液の一定量に関して導かれる開始剤Ｙの溶液であると理解される。
【０１０２】
好ましい態様では、工程ｉ）の水溶液の残余は、それぞれ撹拌しながら２０分〜３時間、好ましくは４０分〜１５０分、最も好ましくは１時間〜２時間の範囲の時間内に添加する。
【０１０３】
別の好ましい態様では、工程ｉｉ）の水溶液の残余は、それぞれ撹拌しながら２時間〜７時間、好ましくは３時間〜６時間、最も好ましくは４時間〜５時間の範囲の時間内に添加する。
【０１０４】
別の好ましい態様では、工程ｉｖ）の水溶液の残余を、それぞれ撹拌しながら３時間〜８時間、好ましくは４時間〜７時間、最も好ましくは５時間〜６時間の範囲の時間内に添加することが必要とされる。
【０１０５】
本発明の別の態様では、「撹拌しながら工程ｉ）、ｉｉ）およびｉｖ）の水溶液の残余を添加する」ことは、同一時点に実施される。これは、共重合の円滑なランに寄与し、かなり均一なコポリマーを生成する。
【０１０６】
非常に好ましい製造方法では、１時間〜２時間の範囲の時間内に工程ｉ）の水溶液の残余を添加し、４時間〜５時間の範囲の時間内に工程ｉｉ）の水溶液の残余を添加し、５時間〜６時間の範囲の時間内に工程ｉｖ）の水溶液の残余を添加するように、撹拌しながら工程ｉ）、ｉｉ）およびｉｖ）の水溶液の残余を同時に添加する。残留未重合モノマー量がかなり低減するので、実際は、開始剤Ｙの水溶液の残余の添加に、即ち工程ｉｖ）に時間（この時間は、工程ｉ）およびｉｉ）のモノマー水溶液の残余を添加するのに要する時間より長い）をかけることが有利である。また、工程ｉｉ）の水溶液のモノマーは工程ｉ）の水溶液のモノマーより水性環境下でおそらく溶解できないので、工程ｉｉ）の水溶液の残余の添加時間より工程ｉ）の水溶液の残余の添加時間がより短くなるよう選択することが非常に有利である。従って、特に工程ｉｉ）のモノマーＡおよびＢと共重合混合物とを均一に混合するのに、より長い時間が必要とされる。
【０１０７】
より詳細な態様では、工程ｖｉ）の後に、１時間〜４時間、好ましくは２時間〜３時間の間、更に混合物を反応させることが必要とされる。これにより、共重合反応の完了が促進される。
【０１０８】
別の好ましい態様では、本発明の方法は、工程ｖｉ）の後に、混合物の温度を２〜１５℃、好ましくは５〜１０℃上昇させることを必要とする。これにより更に、共重合の反応速度が促進される。
【０１０９】
より好ましくは、工程ｖｉ）の後に、１時間〜４時間、好ましくは２時間〜３時間の間、混合物を更に反応させ、混合物の温度を２〜１５℃、好ましくは５〜１０℃上昇させる。このような上記２つの手段の組み合わせにより、本発明のコポリマーの収率および反応速度に関して累積した効果が得られる。
【０１１０】
本発明の方法の別の態様では、調整剤Ｒの添加が必要とされる。調整剤Ｒは、本発明の方法の工程ｉ）または工程ｉｉ）または工程ｉｉｉ）または工程ｉｖ）または工程ｖ）または工程ｖｉ）の後、好ましくは工程ｉ）または工程ｉｉ）または工程ｉｉｉ）または工程ｉｖ）の後に添加される。そのような調整剤Ｒは、本発明のコポリマーの所望のＫ値を得るためまたは微調整するために作用する。この添加は、モノマーＡ，Ｂ、Ｃ、ＤおよびＥの特定の組み合わせに使用されるエマルション（共）重合法または懸濁（共）重合法の場合に、特に有利である。
【０１１１】
前記調整剤は、アルデヒド、ギ酸、ギ酸アンモニウム、硫酸ヒドロキシルアンモニウムおよびリン酸ヒドロキシルアンモニウム、有機的に結合した形態で硫黄を有する化合物、ＳＨ基の形態で硫黄を有する化合物、水溶性硫黄含有重合調整剤、アリル化合物、ベンジル化合物またはハロゲン化アルキルからなる群から選択される。
【０１１２】
アルデヒドの中では、調整剤は好ましくは、ホルムアルデヒド、アセトアルデヒド、プロピオンアルデヒド、ｎ−ブチルアルデヒドおよびイソブチルアルデヒドから選択される。有機的に結合した形態で硫黄を有する化合物の中では、調整剤は好ましくは、ジ−ｎ−ブチルスルフィド、ジ−ｎ−オクチルスルフィド、ジフェニルスルフィドから選択される。ＳＨ基の形態で硫黄を有する化合物の中では、調整剤は好ましくは、ｎ−ブチルメルカプタン、ｎ−ヘキシルメルカプタンまたはｎ−ドデシルメルカプタンから選択される。水溶性硫黄含有重合調整剤の中では、調整剤は好ましくは、少なくとも亜硫酸水素塩および／または二亜硫酸水素塩から選択される。好ましいアリル化合物はアリルアルコールまたは臭化アリルである。好ましいベンジル化合物は塩化ベンジルである。好ましいハロゲン化アルキルはクロロホルムまたはテトラクロロメタンである。
【０１１３】
本発明の方法の別の態様では、共重合されないモノマーの量を更に低減し、より高い転化率（例えば９９．９％）まで共重合反応を実施することが意図される。
【０１１４】
これは、工程ｖｉ）の後の混合物に、上記の、しかしながら工程ｉｖ）で使用したものとは異なる１つ以上の重合開始剤Ｙを添加することにより達成される。より好ましくは、工程ｖｉ）の後の混合物に、上記の、しかしながら工程ｉｖ）で使用したものとは異なる１つ以上の重合開始剤Ｙを添加し、重合温度または重合温度より高い温度に混合物を加熱する。
【０１１５】
上記の開始剤Ｙの他に、別の態様として、工程ｖｉ）の後の混合物に、ペルオキシド、ヒドロペルオキシド、ペルオキソジスルフェート、ペルカーボネート、ペルオキソエステルおよび過酸化水素からなる群から選択される、水溶液におけるラジカル重合に適した他の全ての市販開始剤の少なくとも１つを添加する。
【０１１６】
共重合されないモノマーＡ〜Ｅの量を低減するための別の態様では、酸を使用する。この態様では、工程ｖｉ）の後に得た混合物を水および酸と混合する。更に好ましくは、工程ｖｉ）の後に得た混合物を水および酸と混合し、次いでそれを加熱する。非常に好ましくは、工程ｖｉ）の後に得た混合物を水および酸と混合し、次いでそれを１００℃以下の温度に加熱する。最も好ましい態様では、工程ｖｉ）の後に得た混合物を水および酸と混合し、次いでそれを５０℃〜１００℃の範囲の温度に加熱する。この方法により、未反応モノマーＡ〜Ｅの非常に多くの量が、ポリマー形態またはコポリマー形態に容易に転化される。
【０１１７】
前記酸は、有機酸または鉱酸からなる群から選択される。有機酸の中では、酸は、好ましくは乳酸、クエン酸、酢酸、シュウ酸、安息香酸、ニコチン酸からなる群から選択される。鉱酸の中では、酸は、好ましくは硫酸、塩酸またはリン酸から選択される。
【０１１８】
開始剤Ｙまたは別の開始剤または酸を添加すると、反応混合物を更に５〜１５時間、好ましくは更に８〜１２時間、最も好ましくは更に９〜１０時間反応させる。
【０１１９】
工程ｖｉ）および続く可能な更なる前記工程の後、混合物を冷却して中和する。「冷却」とは、本発明のコポリマーを含んでなる混合物を４０℃未満、好ましくは室温に冷却することを意味する。本発明の範囲において「中和」とは、本発明のコポリマーを、その全体の電荷が０近傍または０となるようにすることを意味する。これは、モノマーＥのアニオン性またはアニオノゲン性基およびモノマーＤのカチオン性またはカチオノゲン性基の両方に作用しなければならないことを意味する。実際に実現されるべきことは、モノマーＤがプロトン化またはアルキル化され、従って正に荷電される程度にモノマーＥが負に荷電されている本発明のコポリマーの双性イオン性を得ることである。これは、モノマーＤが非荷電性のままであると同時にモノマーＥが完全にプロトン化されることも含む。
【０１２０】
そのような中和は、少なくとも１つの有機酸または少なくとも１つの鉱酸またはそれらの混合物によって実施または完了される。少なくとも１つの有機は前記有機酸から選択され、少なくとも１つの鉱酸は前記鉱酸から選択される。
【０１２１】
「完了」とは、共重合されないモノマーＡ〜Ｅの量を更に低減または除去するために酸を使用するという条件で、既に開始された中和の達成を意味する。
【０１２２】
少なくとも１つの有機酸の量、または少なくとも１つの鉱酸の量、またはそれらの混合物の量は、好ましくはｐＨ範囲が６〜７に達するように選択する。この方法によって、即ち本発明のコポリマーの混合物をこのｐＨ範囲に調整することによって、最適なスタイリングおよびコンディショニング性能を示すコポリマーが得られる。その組成物は、良好な曲げ強度をもたらすと同時に、コンディショニング特性を維持する。また、それらは、本発明の組成物のために消費されるコポリマーの量、または適用において使用される本発明の組成物の量に悪影響を与える無視できないフレーク化を示さない。
【０１２３】
本発明の非常に好ましい態様では、５０重量％のエタノール中またはイソプロパノール中またはそれらの混合物中のリン酸を用いて、中和を実施または完了する。中和は最も好ましくは、５０重量％のイソプロパノール中リン酸を用いて実施または完了される。この非常に好ましい態様では、短時間で、優れたスタイリングおよびコンディショニング特性並びに低減されたフレーク化を示す本発明のコポリマーが得られる。
【０１２４】
冷却後の混合物の中和は、１０分〜３時間、好ましくは２０分〜２時間、最も好ましくは３０分〜１時間、撹拌しながら少なくとも１つの有機酸または少なくとも１つの鉱酸またはそれらの混合物を用いることにより促進される。
【０１２５】
工程ｉｉ）の後、７０〜１４０℃の範囲の温度、好ましくは７０℃〜１２０℃の範囲の温度、最も好ましくは８０℃〜１１０℃の範囲の温度で溶媒をストリップオフする。ストリップオフは、好ましくは蒸気蒸留、より好ましくは水蒸気蒸留を用いて実施される。そのような蒸気蒸留によって、蒸気揮発性残留モノマーまたはその水解物、および場合により揮発性溶媒は効果的に留去されるので、より澄明な本発明のコポリマーがもたらされる。好ましくは蒸気蒸留は、塔頂温度が約１１０℃に達するまで行う。「塔頂温度」とは、蒸留塔の塔頂での温度を表す。
【０１２６】
本発明の必須部分は、水および／またはＶＯＣ、並びにコポリマーを記載している特許請求の範囲に少なくとも記載されたおよび／または所定の明細書に少なくとも記載されたコポリマーを少なくとも含んでなる組成物である。この組成物では特に、使用されるコポリマーの量は、１００％に相当する組成物の総重量に対して０．００１〜５０重量％、好ましくは０．００５〜３０重量％、より好ましくは０．０１〜２０重量％、更に好ましくは０．０５〜２０重量％、より好ましくは０．１〜２０重量％、最も好ましくは０．１〜１５重量％である。先に記載し、後の表１〜３並びに図１および図２に記載されている本発明のコポリマーの特有のスタイリングおよびコンディショニング特性の故に、本発明の組成物は、同等のスタイリングまたはコンディショニング作用を得るために、本発明のコポリマーをかなり少量でしか必要としない。これは、同程度のスタイリングまたはコンディショニング作用を得るために、比較例のコポリマーの約３／４しか、好ましくは１／２しか、より好ましくは１／３しか必要とされないことを意味する。また、本発明の組成物中のコポリマーのこの少ない量は、後に更に詳述する表および図から得られる不格好なまたは濁った微細構造の形成またはフレーク化という望ましくない結果を回避するのにかなり寄与している。そのような結果、即ち、良好な微細構造、小さい滴径、および噴射剤との良好な適合性と組み合わされたそのような高い曲げ強度値は、化粧品組成物において組成物の総重量に対して０．２〜２０重量％の範囲の濃度で一般的に使用されている先行技術のコポリマーを用いて得ることはできない。
【０１２７】
本発明において「ＶＯＣ」とは、ガイドライン2004/42/ECに従って１０１．３ｋＰａの標準圧力で最大２５０℃の初期沸点を有する揮発性有機化合物であると理解される。
【０１２８】
「組成物の総重量」は、組成物の全成分の重量の和と定義される。
【０１２９】
本発明の組成物のより好ましい態様ではＶＯＣはＶＯＣ８０であり、これは、本発明の組成物が最大８０重量％のＶＯＣを含むことを意味する。別の好ましい態様では、組成物はＶＯＣ５５を含み、これは、組成物が最大５５重量％のＶＯＣを含むことを意味する。別の好ましい態様では、本発明の組成物はＶＯＣ３５を含み、これは、組成物の３５重量％以下だけがＶＯＣであることを意味する。ＶＯＣ５５を含む本発明の組成物およびＶＯＣ３５を含む別の組成物は、多量の水を含む溶媒を、即ちＶＯＣ５５および少なくとも４５重量％の水を含むと考えられる。この高濃度の水にもかかわらず、組成物はなお本発明のコポリマーを許容し、良好に可溶化し、これは先行技術のポリマーを用いて容易に実現することはできない。
【０１３０】
本発明の組成物に使用されるＶＯＣの量が少ないほど、この組成物はより容易に、例えば化粧品組成物中のＶＯＣが非常に少ない量でしか認められていない国における使用に採用される。米国の多くの州では、ＶＯＣ５５またはＶＯＣ３５の使用しか認められていない。
【０１３１】
ＶＯＣは、ジメトキシメタン、アセトン、ジクロロメタン、ジオキサン、Ｃ２〜Ｃ６一価アルコール、例えば、エタノール、ｎ−プロパノール、イソプロパノール、ｎ−ブタノール、ｓｅｃ−ブタノール、ｔｅｒｔ−ブタノール、ｎ−ヘキサノール、２−メトキシプロパン−１−オール、シクロヘキサノール、ベンジルアルコールなどを含むＶＯＣ１の群から、また、Ｃ３〜Ｃ９ポリオール、例えばグリセロール、グリコール、例えば、エチレングリコール、プロピレングリコール、ブチレングリコール、ペンチレングリコール、ヘキシレングリコール、ブチレングリコール、イノシトール、ソルビトール、マンニトールから、二価アルコール（例えばジエチレングリコール、トリエチレングリコール、約３０００の数平均分子量を有するポリエチレングリコール）のメチルまたはエチルエーテルなどから、また、ｎ−ペンタン、イソペンタン、シクロペンタン、ｎ−ヘキサン、シクロヘキサン、ｎ−ヘプタン、ｎ−オクタンのような炭化水素から、或いはこれら化合物の２つ以上の混合物から選択される。
【０１３２】
別の好ましい態様では、ＶＯＣは、溶媒、例えば、ジメトキシメタン、Ｃ２〜Ｃ６一価アルコール、例えば、エタノール、ｎ−プロパノール、イソプロパノール、ｎ−ブタノール、ｓｅｃ−ブタノール、ｔｅｒｔ−ブタノール、ｎ−ヘキサノール、２−メトキシプロパン−１−オール、Ｃ３〜Ｃ９ポリオール、例えばグリセロール、グリコール、例えば、エチレングリコール、プロピレングリコール、ブチレングリコール、ペンチレングリコール、ヘキシレングリコール、ブチレングリコール、イノシトール、ソルビトール、マンニトール、炭化水素、例えば、ｎ−ペンタン、ｎ−ヘキサン、シクロヘキサン、ｎ−ヘプタン、ｎ−オクタン、或いはこれら化合物の２つ以上の混合物からなるＶＯＣ１から選択される。
【０１３３】
非常に好ましくは、ＶＯＣは、ジメトキシメタン、エタノール、ｎ−プロパノール、イソプロパノール、ｎ−ブタノール、ｓｅｃ−ブタノール、ｔｅｒｔ−ブタノール、イノシトール、ソルビトールおよびマンニトールまたはこれらの２つ以上の混合物からなるＶＯＣ１の群から選択される。そのような化合物は、非常に顧客適合性（customer compatible）であることが知られており、適用される表面（ケラチン表面、皮膚）とのアレルギー反応をほとんどまたは全く起こさない。
【０１３４】
別の態様では、ＶＯＣは、噴射剤および指定の噴射剤ガスまたは易揮発性噴射剤液、例えば、ｎ−プロパン、イソプロパン、ｎ−ブタン、イソブタン、２−メチルブタン、２，２−ジメチルブタン、ｎ−ペンタン、イソペンタン、ジメチルエーテル、ジフルオロエタン、フルオロトリクロロメタン、ジクロロジフルオロメタン、ジクロロテトラフルオロエタン、ＨＦＣ−１５２  Ａ（１，１−ジフルオロエタン）、ＨＦＣ−１３４ａ（１，１，２，２−テトラフルオロエタン）、ヘキサフルオロエタン、噴射剤混合物に基づいて２０％までの少量での特定の塩素化炭化水素、圧縮ガス、例えば、窒素、亜酸化窒素（例えばＮ２Ｏ）、ＣＯ圧縮空気または二酸化炭素を含むＶＯＣ２の群から、または前記噴射剤の群の混合物から選択される。
【０１３５】
より好ましくは、ＶＯＣは、ｎ−プロパン、イソプロパン、ｎ−ブタン、イソブテン、ｎ−ペンタン、ジメチルエーテル、圧縮空気、二酸化炭素またはそれらの混合物を含むＶＯＣ２の群から選択される。ＶＯＣ２は、皮膚およびケラチン表面と高度に適合性であり、環境に優しいことが知られている。
【０１３６】
非常に好ましい態様では、ＶＯＣは、ＶＯＣ１の少なくとも１つとＶＯＣ２の少なくとも１つとの組み合わせの群から選択される。別の好ましい態様では、ＶＯＣは、ＶＯＣ１の１つとＶＯＣ２の１つとの組み合わせの群から選択される。ＶＯＣの態様の選択は、揮発性手段、例えば揮発性化粧品用手段で使用される組成物にとって高度に推奨される。
【０１３７】
本発明の組成物、好ましくは化粧品組成物、より好ましくは毛髪化粧品組成物の別の態様では、組成物はＶＯＣとしてもっぱらＶＯＣ１を含み、ポンプスプレー組成物にも適している。
【０１３８】
組成物の１つの態様は、水と、エタノール、イソプロパノール、ジメトキシメタン、アセトン、ｎ−プロパノール、ｎ−ブタノール、２−メトキシプロパン−１−オール、ｎ−ペンタン、ｎ−ヘキサン、シクロヘキサン、ｎ−ヘプタン、ｎ−オクタン、ジクロロメタンからなる群から選択される少なくとも１つのＶＯＣと、本発明のコポリマーとを含んでなり、使用されるコポリマーの量は、１００％に相当する組成物の総重量に対して０．１〜１５重量％の範囲である。本発明のコポリマーは中和され、請求項１３の工程ｖｉｉ）に記載され、定義されているように中和される。
【０１３９】
本発明の別の態様は、水および／またはＶＯＣおよびコポリマーを少なくとも含んでなる組成物を提供する。使用されるコポリマーの量は１００％に相当する組成物の総重量に対して０．１〜１５重量％の範囲であり、使用されるコポリマーの量はコポリマーAmphomer（登録商標）の３／４以下、好ましくは１／２以下、より好ましくは１／３以下である。
【０１４０】
より改善された形態では、本発明は、水および／またはＶＯＣおよび本発明のコポリマーを少なくとも含んでなる組成物を提供する。使用されるコポリマーの量は１００％に相当する組成物の総重量に対して０．１〜１５重量％の範囲であり、使用されるコポリマーの量はコポリマーAmphomer（登録商標）の３／４以下、好ましくは１／２以下、より好ましくは１／３以下である。
【０１４１】
別の態様では、本発明の組成物は、少なくとも１０重量％、好ましくは少なくとも２０重量％、より好ましくは少なくとも３０重量％、特に好ましくは５０〜８０重量％の水、ＶＯＣ、ｉ）油、脂肪、ワックス、ｉｉ）ｉｉ）とは異なる一価、二価、三価アルコールとＣ６〜Ｃ３０モノカルボン酸とのエステル、非環式および環式飽和炭化水素、脂肪酸、脂肪アルコールおよびコポリマーからなる群から選択される少なくとも１つの化粧品に許容されているキャリヤーＢ）を含んでなる水性組成物である。使用されるコポリマーの量は、１００％に相当する組成物の総重量に対して０．１〜１５重量％の範囲である。この態様は、多量の水を含むので、ＶＯＣ濃度に関する非常に厳しい法律が制定されている米国の州においても許容される組成物を提供する。
【０１４２】
本発明の非常に好ましい態様では、組成物は、少なくとも１０重量％、好ましくは少なくとも２０重量％、より好ましくは少なくとも３０重量％、特に好ましくは５０〜８０重量％の水、ＶＯＣ、ｉ）油、脂肪、ワックス、ｉｉ）ｉｉ）とは異なる一価、二価、三価アルコールとＣ６〜Ｃ３０モノカルボン酸とのエステル、非環式および環式飽和炭化水素、脂肪酸、脂肪アルコールおよびコポリマーからなる群から選択される少なくとも１つの化粧品に許容されているキャリヤーＢ）を含んでなる水性組成物である。使用されるコポリマーの量は、１００％に相当する組成物の総重量に対して０．１〜１５重量％の範囲であり、使用されるコポリマーの量は、コポリマーAmphomer（登録商標）の３／４以下、好ましくは１／２以下、より好ましくは１／３以下である。
【０１４３】
上記した４つの態様で使用される最も好ましいコポリマーは、本発明のコポリマーである。使用されるコポリマーが本発明のコポリマーであれば、その量は、Amphomer（登録商標）に対して低減される。従って、その低減された量を溶解するために、より少ないＶＯＣが必要とされる。これにより、より多量の水が使用され、組成物がより環境適合性になる。
【０１４４】
１つの態様において化粧品に許容されているキャリヤーＢ）は、油、脂肪およびワックスからなる群から選択される。油、脂肪およびワックスは、Fundamentals and formulations of cosmetics、第２版、Verlag Huethig, ハイデルベルク、第３１９〜３５５頁に記載されている構成要素を包含し、それを参照してここに明確に組み込む。
【０１４５】
具体的には、油は、鉱油；パラフィン油；ワセリン；好ましくは８個より多い炭素原子を有する直鎖飽和炭化水素、例えば、テトラデカン、ヘキサデカン、オクタデカンおよびポリデセン；分岐炭化水素、例えば、水素化ポリイソブテン、スクアランおよびスクアレン、環式炭化水素、例えば、デカヒドロナフタレンシクロパラフィン、動物油および植物油、合成または半合成油、シリコーン油からなる群から選択される。
【０１４６】
適当なシリコーン油は、直鎖ポリジメチルシロキサン、ポリ（メチルフェニルシロキサン）、環式シロキサンおよびそれらの混合物である。ポリジメチルシロキサンおよびポリ（メチルフェニルシロキサン）の数平均分子量は、好ましくは約１０００〜１５００００ｇ／ｍｏｌの範囲である。好ましい環式シロキサンは、４員環〜８員環を有する。適当な環式シロキサンは、例えばシクロメチコン（登録商標）の商品名で市販されている。
【０１４７】
動物油および植物油は、天然油脂、例えば、菜種油、ヒマシ油、大豆油、小麦胚芽油、落花生油、マカダミアナッツ油、オリーブ油、ヒマワリ油、ゴマ油、ホホバ油、アボカド油、ココアバター、アーモンド油、パーム油、ココナツ油、ブドウ種子油、アザミ油、月見草油、杏仁油、トウゴマ油、タラ肝油、ラード、鯨蝋、鯨脳油、鯨油からなる群から選択される。動物油および植物油は、多くの場合アロマ成分または香油として使用される低揮発性精油からも選択される。具体的には、精油は、セージ油、クラリーセージ油、カモミール油、丁子油、メリッサ油、ミント油、ユーカリ油、シナモン葉油、リンデン花油、ジュニパーベリー油、ベチベル油、オリバナム油、ガルバヌム油、ラボラナム（labolanum）油、ローズヒップ油、ベルガモット油、レモン油、マンダリン油、オレンジ油およびラバンジン油からなる群から選択される。
【０１４８】
半合成油は、ジヒドロミルセノール、リリアール、リラール、シトロネロール、フェニルエチルアルコール、α−ヘキシルシンナムアルデヒド、ゲラニオール、ベンジルアセトン、シクラメンアルデヒド、リナロール、ボイサムブレンフォルテ（boisambrene forte）、アンブロキサン、インドール、へジオン、サンデリス（sandelice）、アリルアミルグリコレート、シクロベルタル、□−ダマスコン、ゼラニウム油バーボン、シクロヘキシルサリチレート、ヴェルトフィックスセウール、イソ−Ｅ−スーパー、Fixolide NP、エベルニル、イラルデインガンマ、フェニル酢酸、酢酸ゲラニル、酢酸ベンジル、ローズオキシド、ロミラト（romillat）、イロチルおよびフロラマト（floramat）からなる群から選択される。
【０１４９】
脂肪はまた、記載した化粧品に許容されているキャリヤーＢ）に含まれていると理解される。脂肪は、レシチンおよび脂肪酸トリグリセリド、即ち、８〜２４個、特に１２〜１８個の炭素原子の鎖長を有する飽和および／または不飽和、分岐および／または非分岐アルカンカルボン酸のトリグリセロールエステルの群を包含する。脂肪酸トリグリセリドの１つの供給源は、前記した動物油および植物油を包含する合成、半合成または天然油である。
【０１５０】
脂肪は、化学修飾脂肪、例えば水素化植物油、例えば水素化ヒマシ油および／または水素化ココナツ脂肪グリセリド、トリグリセリド、例えば水素化ソイグリセリド、トリヒドロキシステアリン、シアバター、尾羽脂も包含する。
【０１５１】
しばしば使用される脂肪は、カプリル酸／カプリン酸トリグリセリドである。
【０１５２】
化粧品に許容されているキャリヤーＢ）のワックスは、２０℃で固体または脆弱であり、混練の影響を受けやすく、粗いまたは密な粒状構造を有する化合物である。その外観は、半透明または不透明であるがガラス質ではない。ワックスは、４０℃を超えると分解を伴わずに溶融し、４０℃より少し高い温度では液体で僅かに粘稠である。その粘稠度および溶解度は温度にかなり依存する。化合物は中圧で研磨されやすい。
【０１５３】
典型的なワックスは、３〜３０個の炭素原子の鎖長を有する飽和および／または不飽和、分岐および／または非分岐アルカンカルボン酸と、３〜３０個の炭素原子の鎖長を有する飽和および／または不飽和、分岐および／または非分岐アルコールとのエステルを含む群から、並びに芳香族カルボン酸と３〜３０個の炭素原子の鎖長を有する飽和および／または不飽和、分岐および／または非分岐アルコールとのエステルの群から選択される。より好ましいものは、Ｃ１〜Ｃ２４モノアルコールとＣ１〜Ｃ２２モノカルボン酸とのエステル、例えば、Ｃ２０〜Ｃ４０アルキルステアレート、Ｃ２０〜Ｃ４０アルキルヒドロキシステアロイルステアレートである。
【０１５４】
好ましい態様では、ワックスは、イソノニルイソノナノエート、イソトリデシルイソノナノエート、ｎ−ヘキシルラウレート、２−エチルヘキシルラウレート、ｎ−プロピルミリステート、イソプロピルミリステート、ｎ−プロピルパルミテート、２−エチルヘキシルパルミテート、イソプロピルパルミテート、ヘキサコサニルパルミテート、２−オクチルドデシルパルミテート、オクタコサニルパルミテート、セチルパルミテート、トリアコンタニルパルミテート、ドトリアコンタニルパルミテート、テトラトリアコンタニルパルミテート、ｎ−ブチルステアレート、イソプロピルステアレート、イソプロピルイソステアレート、イソオクチルステアレート、イソノニルステアレート、２−ヘキシルデシルステアレート、２−エチルヘキシルイソステアレート、ヘキサコサニルステアレート、オクタコサニルステアレート、トリアコンタニルステアレート、ドトリアコンタニルステアレート、テトラトリアコンタニルステアレート、イソプロピルオレエート、ｎ−デシルオレエート、オレイルオレエート、オレイルエルケート、エルシルオレエート、エルシルエルケート、ジカプリリルカーボネート（Cetiol CC）、ジブチルアジペート、２−エチルヘキシルココエート、ココグリセリド（Myritol 331）、グリコールエステル、例えばブチレングリコールジカプリレート／ジカプレート、ジカプリリルエーテル、プロピレングリコールモノラウレート、ポリエチレングリコールモノラウレート、グリコールモンタネート、オクチルドデカノール、イソエイコサン、Ｃ１０〜Ｃ１５アルキルベンゾエート、ベンジルベンゾエート、Ｃ１〜Ｃ１０サリチレート、例えばオクチルサリチレート、Ｃ１０〜Ｃ１５アルキルラクテートまたはそれらの混合物からなる群から選択される
【０１５５】
別の好ましい態様では、ワックスは、Ｃ１２〜Ｃ１５アルキルベンゾエートと２−エチルヘキシルイソステアレートとの混合物、Ｃ１２〜Ｃ１５アルキルベンゾエートと２−エチルヘキシルイソステアレートとイソトリデシルイソノナノエートとの混合物、Ｃ１２〜Ｃ１５アルキルベンゾエートとイソトリデシルイソノナノエートとの混合物、Ｃ１２〜Ｃ１５アルキルベンゾエートと２−エチルヘキシルイソステアレートとイソトリデシルイソノナノエートとの混合物、オクチルドデカノールとジカプリリルエーテルとジカプリリルカーボネートとココグリセリドとの混合物、Ｃ１２〜Ｃ１５アルキルベンゾエートとブチレングリコールジカプリレート／ジカプレートとの混合物からなる群から選択される。
【０１５６】
化粧品に許容されているキャリヤーＢ）において使用される植物性ワックス、動物性ワックス、ミネラルワックスおよび石油化学ワックスからなる群から選択される好ましいワックスは、蜜蝋、ベリーワックス、カルナウバ蝋、カンデリラ蝋、セレシン、コルク蝋、アフリカハネガヤ蝋、グアルマ蝋、木蝋、ホホバワックス、ラノリン（羊毛脂）、マイクロワックス、モンタン蝋、オウリカリワックス、オゾケライト（地蝋）、パラフィンワックス、米胚芽油ワックス、セラック蝋、鯨蝋、サトウキビ蝋、および前記化合物の混合物である。
【０１５７】
化粧品に許容されているキャリヤーＢ）のワックスは、化学修飾ワックスおよび合成ワックス、例えばSyncrowax（登録商標）HRC（グリセリルトリベヘネート）、Syncrowax（登録商標）AW 1 C（Ｃ１８〜Ｃ３６脂肪酸）およびモンタンエステルワックス、サソールワックス、水素化ホホバワックス、合成または修飾蜜蝋（例えば、ジメチコンコポリオール蜜蝋および／またはＣ３０〜Ｃ５０アルキル蜜蝋）、セチルリシノレエート、例えばTegosoft（登録商標）CR、ポリアルキレンワックス、ポリエチレングリコールワックスからも選択される。
【０１５８】
化粧品に許容されているキャリヤーＢ）は少なくとも１つの脂肪酸も包含し、これは、ミリスチン酸、ステアリン酸、パルミチン酸、オレイン酸、リノール酸、リノレン酸からなる群から、およびそれらの飽和、不飽和および置換修飾品から選択される。
【０１５９】
別の態様では、キャリヤーＢ）は、ラウリルアルコール、ミリスチルアルコール、セチルアルコール、ステアリルアルコール、オレイルアルコール、セチルアルコール、２−ブチルオクタノール（例えばIsofol（登録商標）12（Condea）のような市販品）、２−ヘキシルデカノール（例えばIsofol（登録商標）16（Condea）のような市販品）からなる群から選択される少なくとも１つの脂肪アルコールである。
【０１６０】
本発明の更なる対象は、ヘアスタイリング手段および／またはヘアコンディショニング手段における；ボディケア製品における；構造物材料におけるレオロジー改質剤またはカプセル化手段としての；農業用組成物または植物保護組成物における乳化手段または適用量決定手段としての、本発明のコポリマーまたは本発明の組成物の使用に関する。
【０１６１】
本明細書において「ヘアスタイリング手段および／またはヘアコンディショニング手段」とは、ヘアスタイルを整えるまたは成形するために適用されるあらゆる手段を意味する。そのような手段は、ヘアスプレー、液状ジェルを含むヘアスタイリングおよび／またはヘアコンディショニング用ジェル、フォームジェルおよび揮発性ジェル、乾いたまたは濡れた毛髪に適用されるフォーム、毛髪または頭皮をトリートメントするためのクリーム、ヘアスタイルおよび／または頭皮に塗り込まれて適用されるエマルションまたは懸濁液、同様の目的のためのローション、異なった粘度のラティス（lattice）、およびペーストを包含する。そのようなヘアスタイリングまたはヘアコンディショニング手段における本発明のコポリマーまたは本発明の組成物の使用は、そのような各手段に本発明のコポリマーまたは本発明の組成物を添加すること、または本発明のコポリマーまたは組成物を含有するそのような手段を調製すること、およびそのようにして得た手段をヘアスタイルに適用することと理解される。
【０１６２】
ボディケア製品は、先に記載された、しかしながらボディケアに使用されることが決められている液状、固体状または気体状のもの或いはスプレー可能なものを包含する。化粧品に許容されているキャリヤーＢ）に関してこれらの組成物は全て、身体への適当な使用に適用される。先に記載した態様以外の例は、日焼け止めジェルおよびローション、シャワージェルおよびリフレッシュ用ジェルである。
【０１６３】
レオロジー改質剤としての本発明のコポリマーまたはその組成物の使用は、巨視的に考慮するのかまたは微視的に考慮するのかに応じてより硬質またはより軟質にするために本発明のコポリマーまたはその組成物とキャリヤーとを混合することを意味する。これは特に、構造物材料、例えば、コンクリート、モルタル、しっくい、構造物フォーム、接着剤、ビチューメンおよび糊に有用である。そのようなコポリマーまたは組成物は、温度が変化しても物質の状態が維持され、突然かつ相当な変化の後にだけ別の状態となるように、構造物材料をカプセル化するためにも適用される。
【０１６４】
本発明のコポリマーは、農業用組成物における適用量決定手段として使用するのにも適している。これは、コポリマーがその構造の故に、種子、肥料または栄養分を固定し、本発明のコポリマーまたはコポリマーフィルムから形成されたケージ様またはカプセル様構造からのもっぱら緩慢な放出を可能にすることを意味する。これと同様に、本発明のコポリマーは、上記した肥料、種子または栄養分が様々な極性の液状キャリヤーに均一に分散されることが必要とされる乳化手段として使用される。植物保護組成物における本発明のコポリマーおよびその組成物の使用とは、本発明のコポリマーまたは組成物で作られた保護層またはシールドを種子または植物全体に付与することと理解される。別の態様では、本発明のコポリマーまたはその組成物は、農薬が所定の時間かけて放出されるよう調節するためのカバーまたはケースであると理解される。
【０１６５】
本発明の更なる特徴、詳細および利点は、特許請求の範囲および後述の態様および図面
に由来する。
【０１６６】
図１は、噴射剤が添加されたポリマー溶液試料の外観を示す。
図２ａは、白色人種の未処理の毛髪の顕微鏡観察による表面構造を示す。
図２ｂは、Amphomer（登録商標）で処理された毛髪の顕微鏡観察による表面構造を示す。
図２ｃは、比較例Ｖ３またはＶ４に記載されているコポリマーを含んでなる組成物で処理された毛髪の顕微鏡観察による表面構造を示す。
図２ｄは、本発明のコポリマーを含んでなる組成物で処理された毛髪の顕微鏡観察による表面構造を示す。
図２ｅは、図２ａ〜２ｄを集めたものである。
【実施例】
【０１６７】
コポリマーの調製：
典型的な本発明のコポリマーの調製は、後述の表１の実施例１に記載されており、イソプロパノール／水混合物中の溶液重合によって実施した。
【０１６８】
フィード１：
６４０ｇの１−ビニル−２−ピロリドン
２９６ｇのＮ−［３−（ジメチルアミノ）プロピル］アクリルアミド
７１ｇのメタクリル酸
フィード２：
９４８ｇのｔｅｒｔ−ブチルアクリレート
２９６ｇのＮ−［３−（ジメチルアミノ）プロピル］アクリルアミド
１１８５ｇのｎ−ブチルアクリレート
フィード３：
エタノール３００ｇ中２，２’−アゾビス（２−メチルブチロニトリル）２．５ｇ
フィード４：
エタノール５００ｇ中、Trigonox（登録商標）101（Akzo Nobel社製）の商品名を有する２，５−ビス（ｔｅｒｔ−ブチルペルオキシ−２，５−ジメチルヘキサン）７．５ｇ
フィード５：
１０４ｇのリン酸（イソプロパノール中５０％ｗ／ｖ）
【０１６９】
フィード１の１／５即ち２０１．４ｇ、フィード２の１／１３即ち１０４．８ｇ、フィード３の１／１５．１２５即ち２０ｇ、および１：１ｖ／ｖの比を有するイソプロパノール／水混合物３００ｇを、還流冷却器とフィード１〜３のための３つの別個の入口とを備えた撹拌手段に導入し、混合物を撹拌しながら７５℃に加熱した。共重合が開始した時点で（これは混合物粘度の初期上昇から分かる）、手段の内部温度を８０℃まで上昇させながら、フィード１の残余を１時間以内に添加し、フィード２の残余を４時間以内に添加し、フィード３の残余を５時間以内に添加した。フィードが完了すると、前記温度で更に２時間共重合を継続した。
【０１７０】
次いで、フィード４を２時間以内に添加し、残留モノマー量を低減するために固有圧力下１３０℃で更に１０時間、更なる共重合を実施した。（別の態様では、水およびリン酸を混合物に添加し、次いで１００℃まで加熱することにより残留モノマーを低減した。リン酸は、ｐＨが４．５〜５．５に達する様な量で添加した。これは、使用されるＮ−［３−（ジメチルアミノ）プロピル］アクリルアミドの中和度が８０〜１２０ｍｏｌ％となることに相当する。）その後、蒸気蒸留を実施した。
【０１７１】
混合物が冷却した時点で、フィード５を用いて混合物を中和した。フィード５は、連続的に撹拌しながら３０分以内に添加した。
【０１７２】
本発明のコポリマーの水性（微）分散体を生成するために、このようにして得たコポリマー溶液に更なる水を添加し、その後イソプロパノールを留去することができる。本発明のコポリマーの粉状態様は、噴霧乾燥または凍結乾燥によって得られる。
【０１７３】
本発明のコポリマーはまた、特に後述の表１に示されている必要なモノマーおよび量に関して予め定めた手順によって得られる。
【０１７４】
本発明の化粧品組成物の調製：
そのような本発明の組成物の中で典型的な本発明の化粧品組成物は、以下のように調製される：本発明のコポリマーを必要量のエタノールに溶解して５重量％溶液を得る。従って、コポリマー溶液自体も本発明の組成物であると理解される。
【０１７５】
コポリマー溶液の特徴を５人の試験調査団によってモニターした。彼らは、レオロジーまたは化粧品組成物の外観、均一性および色を評価した。
【０１７６】
外観を、澄明（１）、ほぼ澄明（２）、曇り（３）または濁り（４）として評価した。
【０１７７】
コポリマーフィルムとしてガラス板上で乾燥させたコポリマー溶液の均一性を、５人の試験調査団が調べて１〜４の尺度で評価した。
１＝非常に均一なフィルム、封入物なし
２＝極めて小規模な不規則を伴った均一なフィルム
３＝既に多少の異常を示す均一なフィルム
４＝不規則な構造、ほぼ非連続のフィルム
【０１７８】
噴射剤との適合性は、図１に示されているように、本発明のポリマーを含有する溶液に噴射剤ガスを適用し、それを参考試料と比べることにより評価した。選択した溶液、およびそれに含まれている本発明のポリマーの濃度は、本発明のコポリマーおよび参考試料について同じであった。同様に、使用した噴射剤ガスのタイプおよび圧力も同じであった。以下のように適合性を評価した。
１＝優れた適合性、溶液は澄明かつ流動性のままであった。図１の左の瓶を参照。
２＝良好な適合性、溶液は幾分濁ったが流動性であった。図１の左から２番目の瓶を参照。
３＝中程度に適合性、溶液は濁って流動性が低かった。図１の左から３番面の瓶を参照。
４＝乏しい適合性、溶液は不透明で高い粘度を有していた。図１の右の瓶を参照。
【０１７９】
コポリマー溶液で処理した毛髪束の剛化効果の評価：
約２３ｃｍの長さを有する毛髪束に１ｇのコポリマー溶液を適用し、毛髪束の方向に指で広げた。毛髪束を室温で一晩乾かし、翌日５人の試験調査団がそれを評価した。結果は、以下のように分類した。
１＝非常に良好な剛化効果
２＝良好な剛化効果
３＝まだ良好な剛化効果
４＝乏しい剛化効果
【０１８０】
以下のように水洗性を評価した。本発明の各コポリマー溶液で処理した毛髪束を、３７℃のTexapon-NSO（CAS：68891-38-3）含有溶液に浸漬して１５秒間絞ることにより洗浄した。これを５回繰り返した。次いで、毛髪束を水道水で１５秒間濯いだ。この浸漬、絞りおよび濯ぎを１回繰り返した。その後、毛髪束を濾紙で絞り、一晩乾かした。翌日、水洗性を評価した。５人の試験調査団によって評価されたパラメーターは、櫛通り、べたつく傾向、握ったときの感覚、および組成物残渣量である。
【０１８１】
得られた結果は以下のように分類した。
非常に良好（１）：全パラメーターが優良
良好（２）：４つのパラメーターの少なくとも３つが優良
まだ良好（３）：パラメーターの２つが優良
不良（４）：上記基準を満たさず
【０１８２】
本発明のヘアスタイリング組成物で処理された毛髪束の曲げ強度Ｂｔの測定：
長さ２４ｃｍの乾燥毛髪束を秤量した。その３ｇを、予め調製しておいたコポリマー溶液に浸漬し、取り出し、過剰の溶液をストリップした。毛髪束に溶液が均一に分配されるように、浸漬、取り出し、およびストリップを３回実施した。
【０１８３】
過剰な溶液の最後のストリップは、親指と人差し指を用いて行った。溶液の更なる除去は、毛髪束の重量が（毛髪束の初期重量に対して）１〜１．４ｇ増加するように、濾紙の間に毛髪束を挟むことにより実施した。このようにして得た毛髪束を、円形断面を有するように整え、２０℃および６５％相対湿度の人工気候室に一晩投入した。
【０１８４】
上記気候条件を有する人工気候室において引張圧縮分析装置（Easytest 86 8002, Fa. Frank）を用いて、調製した毛髪束の分析を実施した。試料ホルダーの２つの円筒状ロール上に対称に毛髪束を配置した。円筒状ロールは４ｍｍの直径を有しており、９ｃｍの間隔を空けて互いに分離されていた。毛髪束のちょうど中央部の上側から近づけた円形スタンプによって毛髪束を４０ｍｍ曲げ、毛髪束上に形成されたコポリマーフィルムを破砕した。そのために要した力（単位：ｃＮ）を、ロードセルで測定した。
【０１８５】
微細構造、フレーク化：
毛髪束を電子顕微鏡（光学顕微鏡）で分析した。得られた結果は、以下のように分類した。
塊状／不格好：毛髪上に嵩高コポリマー凝集体が生成
フレーク状：毛髪表面または毛髪外皮上にコポリマーフレークが発現
規則的:処理された毛髪の表面微細構造を維持できる毛髪上の微分散コポリマーフィルム
【０１８６】
【表１】
0006395719.tif 000004
【０１８７】
ＭＭＡ：メチルメタクリレート
ＯＡＭ：オクチルアクリルアミド
ｔＢＡＥＭＡ：２−（ｔｅｒｔ−ブチルアミノ）エチルメタクリレート
ＡＳ：アクリル酸
ＨＰＭＡ：ヒドロキシプロピルメタクリレート
ＴＢＡ：ｔｅｒｔ−ブチルアクリレート
ＶＰ：１−ビニル−２−ピロリドン
ＤＭＡＰＡＭ：Ｎ−［３−（ジメチルアミノ）プロピル］アクリルアミド
ＤＭＡＰＭＡＭ：Ｎ−［３−（ジメチルアミノ）プロピル］メタクリルアミド
ＭＡＳ：メタクリル酸
ｎＢＡ：ｎ−ブチルアクリレート
ＬＡ：ラウリルアクリレート
ＥＡ：エチルアクリレート
シロキサン：エトキシル化ポリシロキサン（Belsil（登録商標）DMC 6031、Wacker Chemie GmbH）、ＩＮＣＩ名：PEG/PPG-25/25 Dimethicone、即ち平均２５モルのエチレンオキシドおよび２５モルのプロピレンオキシドを有するジメチコンアルコキシル化誘導体（q.v.）
【０１８８】
【表２】
0006395719.tif 000005
【０１８９】
【表３】
0006395719.tif 000006
【０１９０】
本発明のコポリマーの本発明の組成物において典型的に使用された全溶媒（水および／またはＶＯＣ）は組成物に澄明な外観をもたらし、これは、表２の第２欄から分かる。この結果は、先に記載したように本発明のコポリマーのエタノール溶液を用いて得られた。この結果が、比較実験の結果より良好または少なくとも同等であることが分かる。比較例Ｖ４の結果はかなり劣ることが分かる。メタノールまたはイソプロパノールを用いた場合も同様の結果が得られた。
【０１９１】
本発明の全てのコポリマーは、ガラス板上に非常に規則的なフィルムを形成する傾向を示した（表２の第３欄参照）。例示したコポリマーの１つを除く全てについて封入物を含まない極めて均一なフィルムが得られ、その１つは極めて小規模な不規則を伴った均一なフィルムをもたらした。このように、比較例の要件は容易に満たされ、一部の例ではより優れた結果さえ得られた。
【０１９２】
別の極めて重要なことは、本発明の組成物の噴射剤に対する適合性である。そのような適合性の目に見える印象は図１に示されており、特に透明容器において、または黒髪について、図１の右側の瓶に見られる組成物は許容できないことが分かる。表２の第４欄は、各加圧溶液が澄明かつ流動性なままであることから、例示したコポリマーの全てが極めて優れていることを示している。これは、比較例の一部と少なくとも同等であるが、ほとんどははるかに優れていることを示している。これに関して、比較例Ｖ４はかなり悪い結果を示した。
【０１９３】
本発明の組成物のヘアスタイル剛化能は良好または非常に良好であり、比較例Ｖ３より優れていた（表２の第５欄参照）。
【０１９４】
その水洗性は、比較例Ｖ１〜Ｖ４の１つより良好または少なくとも同等であることが分かった。これにより、暴風雨または雨天であっても長時間のスタイリングおよびコンディショニング効果は確保される。
【０１９５】
その曲げ強度は、ヘアスタイル上に形成されたコポリマーフィルムまたは化粧品組成物（例えばクリーム）内のコポリマー層の剛性または可撓性をモニターするための手段をもたらす。その値が高いほど、フィルムまたは層は、その部分的または全体的な破砕を伴わずにより曲げられる。従って、フィルムまたは層により処理された表面または化粧品組成物またはヘアスタイルが、機械的にもたらされる損傷から保護されるので、この値が高いことが非常に好ましい。表２の第７欄は、例示した化粧品組成物の全てが比較例より優れていることを示している。
【０１９６】
表３の第２欄における可塑性については、一部の実施例および比較例の値しか記録または入手しなかった。しかしながら、これらのデータの不完全さにもかかわらず、本発明の組成物について得られた結果が比較例と比べて１０倍以上大きいことが分かる。
【０１９７】
同様に、本発明の化粧品組成物から形成されるフィルムまたは表面の弾性は、ほとんどが比較例より約２０％以上高く、少なくとも比較例と同等であった。
【０１９８】
ケラチン表面（例えば毛髪）または皮膚上に均一で規則的で薄いコポリマーフィルムを形成するための１つの前提条件は、対象の表面上に各化粧品組成物を良好に広げることである。これは、エマルションまたは噴霧スプレーにおいて小滴を形成することによって確保される。しかしながら、この滴径は、化粧品組成物、特にそれに含まれる本発明のコポリマーに依存する。これに関して、３３および４１の粒度を有する滴を形成する本発明の組成物は比較例より優れており、実施例２のみが比較例３よりやや大きい粒度または滴径を示した（表３の第４欄参照）。
【０１９９】
本願発明において、黒髪で容易に観察されるフレーク化を回避することは極めて重要である。同様に、処理された毛髪、ケラチン表面または皮膚の塊状または不格好な外観は、毛髪、ケラチン表面または皮膚に滑らかな光沢のある、べたつかない感触、および塊状または不格好なコポリマー凝集体により妨げられない良好な外観をもたらすことを妨げるので、回避されなければならない。これに関して、本発明の組成物の能力を確かめるために、ＬＭ顕微鏡写真を記録した（図２ａ〜２ｅ参照）。
【０２００】
図２ａは、白色人種の未処理の毛髪のＬＭ顕微鏡写真である。ケラチンブロックの正常かつ良好な層状スレート屋根構造が見られる。
【０２０１】
図２ｂは、先行技術の化粧品組成物として市販コポリマーAmphomer（登録商標）（CAS番号：70801-07-9）のエタノール溶液を前記した白色人種の毛髪に適用した場合のＬＭ顕微鏡写真である。この図の右部分から、不格好なポリマー凝集体が未処理の毛髪のスレート屋根構造を完全に覆っていることが分かる。そのような不均一なポリマー分配は、べたつく感覚およびヘアスタイルの曖昧で光沢のない外観をもたらす。スタイリングは有効なものではなく、従って、同等のスタイリング効果を得るためには、より多量の化粧品組成物、特にポリマーが必要とされる。更に、そのような顕微鏡観察による巨大な凝集体は、機械的応力に起因して少なくとも部分的に分解する傾向があり、これは少なくともある程度のフレーク化をまねく。
【０２０２】
図２ｃは、比較例Ｖ３またはＶ４のコポリマーを含んでなる組成物で白色人種の未処理の毛髪を処理した場合のＬＭ顕微鏡写真である。そのようなポリマーを含んでなる組成物が未処理の毛髪のスレート屋根構造を維持できることは注目に値する。しかしながら、多量のフレークが観察され、これにより、特に黒髪のヒトはこの化粧品組成物の使用を幾分不快に感じる。これはなお改善されるべき点である。
【０２０３】
図２ｄは、本発明のコポリマーの化粧品組成物で処理した毛髪束のＬＭ顕微鏡写真である。図２ｃと同様に、未処理の毛髪のスレート屋根構造は適当に維持されている。しかしながらこれは、有害なフレーク化現象を伴わずに実現されている。従って、新規に開発された本発明のコポリマーを含んでなる化粧品組成物は、大勢の黒髪のヒトにとっても容易に許容できるものである。
【０２０４】
これらの結果は、図２ａ〜２ｃをまとめた図２ｅからも分かる。また、表３の第５欄にも示す。
【０２０５】
本発明の別の重要な態様は、スタイリング目的で使用されるコポリマーのコストに関して先行技術を改善することである。表３の第６欄は、同じスタイリング結果を得るため１回あたりに必要とされるコポリマーの量が本発明の態様について激減したことを示す。本発明の態様を使用する場合、比較例で必要とされる量の最大３／４、最善では１／３しか必要とされない。
【０２０６】
本発明がレオロジーまたは化粧品組成物のためのコポリマー、その製造方法、その組成物、前記組成物の製造方法に関することが分かる。また本発明の範囲では、コポリマーまたはその組成物の使用も選択される。コポリマーは、ａ）モノマーＡとしての、分岐アクリル酸エステルである第一アクリル酸エステル；ｂ）モノマーＢとしての、直鎖アクリル酸エステルである少なくとも１つの更なるアクリル酸エステル；ｃ）モノマーＣとしての環式Ｎ−ビニルアミド；ｄ）モノマーＤであり、ラジカル重合性α，β−エチレン性不飽和二重結合および少なくとも１つのカチオン性および／またはカチオノゲン性基を有する少なくとも１つの化合物；ｅ）モノマーＥとしての少なくとも１つのモノエチレン性不飽和カルボン酸を含んでなり、重合状態のモノマーＢは２４℃以下のガラス転移温度を有し、モノマーＡの重量の最大３分の１に達する。
以下は、本発明の実施形態の一つである。
（１）ａ）モノマーＡとしての、分岐アクリル酸エステルである第一アクリル酸エステル；
ｂ）モノマーＢとしての、直鎖アクリル酸エステルである少なくとも１つの更なるアクリル酸エステル；
ｃ）モノマーＣとしての環式Ｎ−ビニルアミド；
ｄ）モノマーＤであり、ラジカル重合性α，β−エチレン性不飽和二重結合および少なくとも１つのカチオン性および／またはカチオノゲン性基を有する少なくとも１つの化合物；
ｅ）モノマーＥとしての少なくとも１つのモノエチレン性不飽和カルボン酸
を含んでなるレオロジーまたは化粧品組成物のためのコポリマーであって、重合状態のモノマーＢは２４℃以下のガラス転移温度を有し、モノマーＡの重量の最大３分の１に達するコポリマー。
（２）モノマーＡは第二級または第三級アルコールに、好ましくは第三級アルコールに由来するエステル部分を有する、（１）に記載のコポリマー。
（３）モノマーＢは、ＣＯＯ-Ｃ1〜Ｃ14アルキルからなる、好ましくはＣＯＯ-Ｃ2〜Ｃ14アルキルからなる、より好ましくはＣＯＯ-Ｃ2〜Ｃ12アルキルからなる、特に好ましくはＣＯＯ-Ｃ4〜Ｃ12アルキルからなる群から選択されるエステル部分を有する、（１）または（２）に記載のコポリマー。
（４）総コポリマー重量はモノマーＡ〜Ｅの重量の和であり、１００重量％に相当することを条件に、モノマーＢおよびモノマーＥの和は総コポリマー重量の２０重量％を超えない、好ましくは最大１８重量％、より好ましくは最大１３重量％、最も好ましくは最大８重量％である、（１）〜（３）のいずれかに記載のコポリマー。
（５）モノマーＣはＮ−ビニルピロリドンである、（１）〜（４）のいずれかに記載のコポリマー。
（６）モノマーＤは非四級化化合物、好ましくは非四級化アクリルアミドまたは非四級化メタクリルアミドである、（１）〜（５）のいずれかに記載のコポリマー。
（７）モノマーＥは１７０℃以上、好ましくは１９０℃以上のガラス転移温度Ｔｇを有する、（１）〜（６）のいずれかに記載のコポリマー。
（８）非中性化および非四級化状態で負の正味電荷を有する、（１）〜（７）のいずれかに記載のコポリマー。
（９）負の正味電荷は５より小さい、好ましくは４より小さい、より好ましくは１〜３、最も好ましくは２〜３である、（８）に記載のコポリマー。
（１０）総コポリマー重量はモノマーＡ〜Ｅの重量の和であり、１００重量％に相当することを条件に、モノマーＣおよびモノマーＤの和は総コポリマー重量の４５重量％〜７５重量％、好ましくは４７重量％〜７５重量％、より好ましくは５０重量％〜７０重量％、より好ましくは５０重量％〜６５重量％、より好ましくは５２重量％〜６５重量％、最も好ましくは５２重量％〜６０重量％の範囲である、（１）〜（９）のいずれかに記載のコポリマー。
（１１）総コポリマー重量はモノマーＡ〜Ｅの重量の和であり、１００重量％に相当することを条件に、モノマーＤはモノマーＥに対して過剰の重量で用い、この重量過剰は少なくともモノマーＥの重量の３．５倍、好ましくはモノマーＥの重量の５倍、より好ましくはモノマーＥの重量の７倍、より好ましくはモノマーＥの重量の８倍、最も好ましくはモノマーＥの重量の２５／３倍である、（１）〜（１０）のいずれかに記載のコポリマー。
（１２）総コポリマー重量はモノマーＡ〜Ｅの重量の和であり、１００重量％に相当することを条件に、
・３０〜５０重量％のモノマーＡ；
・３〜２０重量％のモノマーＢ；
・１５〜３５重量％のモノマーＣ；
・１５〜３０重量％のモノマーＤ；
・０．１〜１０重量％のモノマーＥ
を含んでなる、（１）〜（１１）のいずれかに記載のコポリマー。
（１３）ｉ）モノマーＣ、モノマーＤおよびモノマーＥの混合物２〜６０重量％を含有する水溶液を調製する工程；
ｉｉ）モノマーＡ、モノマーＢおよびモノマーＤの混合物２〜６０重量％を含有する水溶液を調製する工程；
ｉｉｉ）一定量の工程ｉ）の水溶液に一定量の工程ｉｉ）の水溶液を添加する工程；
ｉｖ）一定量の開始剤Ｙの溶液を添加する工程；
ｖ）工程ｉ）〜ｉｖ）から得た混合物を６０℃〜１２０℃の範囲の温度に加熱する工程；
ｖｉ）撹拌しながら工程ｉ）、ｉｉ）およびｉｖ）の水溶液の残余を添加する工程；
ｖｉｉ）冷却後に混合物を中和する工程；
ｖｉｉｉ）７０〜１２０℃の範囲の温度で溶媒をストリップオフする工程
を含む、溶液中での重合による、（１）〜（１２）のいずれかに記載のコポリマーの製造方法。
（１４）・水および／または
・ＶＯＣ（揮発性有機化合物）
・および（１）〜（１２）のいずれかに記載のコポリマー
を少なくとも含んでなる組成物であって、使用されるコポリマーの量は、組成物の総重量に対して０．００１〜５０重量％、好ましくは０．００５〜３０重量％、より好ましくは０．０１〜２０重量％、より好ましくは０．０５〜２０重量％、より好ましくは０．１〜２０重量％、最も好ましくは０．１〜１５重量％の範囲であり、総重量は１００％に相当する、組成物。
（１５）・ヘアスタイリング手段および／またはヘアコンディショニング手段における、
・ボディケア製品における、
・構造物材料におけるレオロジー改質剤またはカプセル化手段としての、
・農業用組成物または植物保護組成物における乳化手段または適用量決定手段としての、
（１）〜（１２）のいずれかに記載のコポリマーまたは（１４）に記載の組成物の使用。
【図１】
0006395719.tif 000007
【図２ａ】
0006395719.tif 000008
【図２ｂ】
0006395719.tif 000009
【図２ｃ】
0006395719.tif 000010
【図２ｄ】
0006395719.tif 000011
【図２ｅ】
0006395719.tif 000012